(57)【要約】  ＡＣ電力が途絶えている場合にも、ＡＣ電力が供給されている場合と同等の動作が可能な、電力線通信技術を用いた監視カメラシステムを提供する。そのために、カメラ部および制御記録部にそれぞれＤＣ電源部を備え、ＡＣ電力の供給が途絶えている期間は、これらのＤＣ電源部による駆動に切替え、監視画像などの情報信号はＡＣ電力に重畳するのではなく、単独でＡＣ電力線を介して伝送する。これにより、カメラ部と制御記録部の間のＡＣ電力線が物理的につながっていれば情報信号の伝送が可能となり、ＡＣ電力の供給が途絶えている期間であっても、ＡＣ電力が供給されている期間と同等の動作が可能となる。
2007091423.tif 000002
【特許請求の範囲】
【請求項１】
カメラ部と制御記録部とから構成され、前記カメラ部と前記制御記録部の間のデータの伝送は電力線通信を用いて行う監視カメラシステムにおいて、
前記カメラ部は、
監視場所の映像および音声などの情報を取得して、所望の処理を施してカメラ信号を生成するカメラ処理部と、
前記カメラ信号に電力線通信に必要な処理を施して、第１の電力線通信情報信号を生成する第１の電力線通信処理部と、
供給されたＡＣ電力を第１のＤＣ電力に変換して、前記第１のＤＣ電力と内蔵の第１のＤＣ電源部が出力する第２のＤＣ電力とのどちらかを選択して、前記カメラ処理部と前記第１の電力線通信処理部に供給する第１の電源部と、
ＡＣ電力線に接続されて、前記ＡＣ電力線に前記ＡＣ電力が供給されている場合には、前記ＡＣ電力に前記第１の電力線通信情報信号を重畳した第１の電力線通信信号を前記ＡＣ電力線を介して前記制御記録部に送信するとともに、前記ＡＣ電力を分離して前記第１の電源部に供給し、前記ＡＣ電力線に前記ＡＣ電力が供給されていない場合には、前記第１の電力線通信情報信号のみを前記ＡＣ電力線を介して前記制御記録部に送信する第１のＡＣ／信号重畳分離選択部とを備え、
前記制御記録部は、
前記ＡＣ電力線に接続されて、前記ＡＣ電力線に前記ＡＣ電力が供給されている場合には、前記カメラ部から前記ＡＣ電力線を介して受信した前記第１の電力線通信信号から、前記第１の電力線通信情報信号と前記ＡＣ電力を分離して出力し、前記ＡＣ電力線に前記ＡＣ電力が供給されていない場合には、前記カメラ部から前記ＡＣ電力線を介して受信した前記第１の電力線通信情報信号のみを出力する第２のＡＣ／信号重畳分離選択部と、
前記第２のＡＣ／信号重畳分離選択部から出力された前記第１の電力線通信情報信号を入力して、前記カメラ信号を取得する第２の電力線通信処理部と、
前記第２の電力線通信処理部から出力された前記カメラ信号を入力して、前記監視場所の映像および音声などの情報を記録するカメラ制御記録処理部と、
前記第２のＡＣ／信号重畳分離選択部から出力された前記ＡＣ電力を第３のＤＣ電力に変換して、前記第３のＤＣ電力と内蔵の第２のＤＣ電源部が出力する第４のＤＣ電力とのどちらかを選択して、前記カメラ制御記録処理部と前記第２の電力線通信処理部に供給する第２の電源部とを備えたことを特徴とする監視カメラシステム。
【請求項２】
前記カメラ制御記録処理部は、前記カメラ部の動作を制御するカメラ制御信号を生成し、前記第２の電力線通信処理部は、前記カメラ制御信号に電力線通信に必要な処理を施して第２の電力線通信情報信号を生成し、
前記第２のＡＣ／信号重畳分離選択部は、前記ＡＣ電力線に前記ＡＣ電力が供給されている場合には、前記ＡＣ電力に前記第２の電力線通信情報信号を重畳した第２の電力線通信信号を前記ＡＣ電力線を介して前記カメラ部に送信するとともに、前記ＡＣ電力を分離して前記第２の電源部に供給し、前記ＡＣ電力線に前記ＡＣ電力が供給されていない場合には、前記第２の電力線通信情報信号のみを前記ＡＣ電力線を介して前記カメラ部に送信し、
前記第１のＡＣ／信号重畳分離選択部は、前記ＡＣ電力線に前記ＡＣ電力が供給されている場合には、前記制御記録部から前記ＡＣ電力線を介して受信した前記第２の電力線通信信号から、前記第２の電力線通信情報信号と前記ＡＣ電力を分離して出力し、前記ＡＣ電力線に前記ＡＣ電力が供給されていない場合には、前記制御記録部から前記ＡＣ電力線を介して受信した前記第２の電力線通信情報信号のみを出力し、
前記第１の電力線通信処理部は、前記第１のＡＣ／信号重畳分離選択部から出力された前記第２の電力線通信情報信号を入力して前記カメラ制御信号を取得し、
前記カメラ処理部は、前記第１の電力線通信処理部から出力された前記カメラ制御信号を入力して前記カメラ部の動作を制御することを特徴とする請求項１記載の監視カメラシステム。
【請求項３】
カメラ部と制御記録部とから構成され、前記カメラ部と前記制御記録部の間のデータの伝送は電力線通信を用いて行う監視カメラシステムにおいて、
前記カメラ部は、
監視場所の映像および音声などの情報を取得して、所望の処理を施してカメラ信号を生成するカメラ処理部と、
前記カメラ信号に電力線通信に必要な処理を施して、第１の電力線通信情報信号を生成する第１の電力線通信処理部と、
前記カメラ信号に無線通信に必要な処理を施して、第１の無線通信情報信号を生成して、前記制御記録部に送信する第１の無線通信処理部と、
供給されたＡＣ電力を第１のＤＣ電力に変換して、前記第１のＤＣ電力と内蔵の第１のＤＣ電源部が出力する第２のＤＣ電力とのどちらかを選択して、前記カメラ処理部と前記第１の電力線通信処理部および前記第１の無線通信処理部に供給する第１の電源部と、
ＡＣ電力線に接続されて、前記ＡＣ電力線に前記ＡＣ電力が供給されている場合には、前記ＡＣ電力に前記第１の電力線通信情報信号を重畳した第１の電力線通信信号を前記ＡＣ電力線を介して前記制御記録部に送信するとともに、前記ＡＣ電力を分離して前記第１の電源部に供給する第１のＡＣ／信号重畳分離部とを備え、
前記制御記録部は、
前記ＡＣ電力線に接続されて、前記ＡＣ電力線に前記ＡＣ電力が供給されている場合には、前記カメラ部から前記ＡＣ電力線を介して受信した前記第１の電力線通信信号から、前記第１の電力線通信情報信号と前記ＡＣ電力を分離して出力する第２のＡＣ／信号重畳分離部と、
前記第２のＡＣ／信号重畳分離部から出力された前記第１の電力線通信情報信号を入力して、前記カメラ信号を取得する第２の電力線通信処理部と、
前記カメラ部から受信した前記第１の無線通信情報信号を入力して、前記カメラ信号を取得する第２の無線通信処理部と、
前記第２の電力線通信処理部と前記第２の無線通信処理部から出力された前記カメラ信号のうち少なくとも一方を入力して、前記監視場所の映像および音声などの情報を記録するカメラ制御記録処理部と、
前記第２のＡＣ／信号重畳分離部から出力された前記ＡＣ電力を第３のＤＣ電力に変換して、前記第３のＤＣ電力と内蔵の第２のＤＣ電源部が出力する第４のＤＣ電力とのどちらかを選択して、前記カメラ制御記録処理部と前記第２の電力線通信処理部および前記第２の無線通信処理部に供給する第２の電源部とを備えたことを特徴とする監視カメラシステム。
【請求項４】
前記カメラ制御記録処理部は、前記カメラ部の動作を制御するカメラ制御信号を生成し、前記第２の電力線通信処理部は、前記カメラ制御信号に電力線通信に必要な処理を施して第２の電力線通信情報信号を生成し、
前記第２の無線通信処理部は、前記カメラ制御信号に無線通信に必要な処理を施して第２の無線通信情報信号を生成して前記カメラ部に送信し、
前記第２のＡＣ／信号重畳分離部は、前記ＡＣ電力線に前記ＡＣ電力が供給されている場合には、前記ＡＣ電力に前記第２の電力線通信情報信号を重畳した第２の電力線通信信号を前記ＡＣ電力線を介して前記カメラ部に送信するとともに、前記ＡＣ電力を分離して前記第２の電源部に供給し、
第１のＡＣ／信号重畳分離部は、前記ＡＣ電力線に前記ＡＣ電力が供給されている場合には、前記制御記録部から前記ＡＣ電力線を介して受信した前記第２の電力線通信信号から、前記第２の電力線通信情報信号と前記ＡＣ電力を分離して出力し、
前記第１の電力線通信処理部は、前記第１のＡＣ／信号重畳分離部から出力された前記第２の電力線通信情報信号を入力して前記カメラ制御信号を取得し、
前記第１の無線通信処理部は、前記制御記録部から受信した前記第２の無線通信情報信号を入力して前記カメラ制御信号を取得し、
前記カメラ処理部は、前記第１の電力線通信処理部と前記第１の無線通信処理部から出力された前記カメラ制御信号のうち少なくとも一方を入力して、前記カメラ部の動作を制御することを特徴とする請求項３記載の監視カメラシステム。
【請求項５】
前記第１の電源部および前記第２の電源部は、前記ＡＣ電力が供給されているか否かを検出して、前記ＡＣ電力が供給されている場合は前記第１のＤＣ電力および前記第３のＤＣ電力を選択し、前記ＡＣ電力が供給されていない場合は前記第２のＤＣ電力および前記第４のＤＣ電力を選択して供給することを特徴とする請求項１から４のいずれか１項に記載の監視カメラシステム。
【請求項６】
前記第１のＤＣ電源部および前記第２のＤＣ電源部は、供給された前記ＡＣ電力により充電されることを特徴とする請求項１から４のいずれか１項に記載の監視カメラシステム。
【発明の詳細な説明】
【技術分野】
【０００１】
本発明は、電力線通信（Ｐｏｗｅｒ  Ｌｉｎｅ  Ｃｏｍｍｕｎｉｃａｔｉｏｎ）を用いてカメラ部と制御記録部の間で監視映像信号や音声信号および制御信号などの伝送を行う監視カメラシステムに関する。
【背景技術】
【０００２】
近年、家電機器等にＡＣ電力を供給するための既存の商用ＡＣ電力線を利用して、ＡＣ電力に映像信号や音声信号および制御信号など各種情報を重畳することにより伝送する電力線通信技術が注目されている。この電力線通信技術をＡＶ機器等に導入することにより、機器間の映像信号や音声信号等を伝送するために電源ケーブルを電源コンセントに接続するだけでよく、新たなケーブルを配線する必要がないため、ユーザの利便性を向上させることができる。【０００３】
一方、盗難や凶悪犯罪など情勢不安が高まる中、その抑止や発生時の情報を記録するために、ネットワーク機能を搭載した監視カメラが設置される機会も多くなってきている。この監視カメラと、そのパン、チルト、ズームなどや撮像動作などの制御、およびその撮像された監視画像などを記録する制御記録機器との間で双方向に情報を送受信するネットワーク部に、電力線通信技術を導入した監視カメラシステムも提案されている。【０００４】
通常、電力線通信技術を用いた監視カメラシステムは、家庭内等において商用ＡＣ電力線に接続して使用される。この商用ＡＣ電力線には、この監視カメラシステム以外にも、様々な家電機器などが接続されて動作している環境が想定される。従って、配電盤によりブレーカごとに分岐されたＡＣ電力線の中で、この監視カメラシステムと同一ＡＣ電力線に接続された機器の消費電流の総和が定格電流を超えると、該当する配電盤のブレーカが落ちて監視カメラシステムへのＡＣ電力供給が途絶えることになり、その間の監視画像等は記録されないことになる。【０００５】
これを解決するために、従来の電力線通信技術を用いた監視カメラシステムでは、上述のようにＡＣ電力が途絶えている期間、カメラは内蔵のＤＣ電源からの電力に切替えることにより動作し、一定時間毎に間欠的に静止画を撮像して、内蔵の記録部に一時的にその静止画を監視画像として蓄積する。そして、ＡＣ電力供給が復旧した後に通常の動作に戻ると共に、蓄積していた監視画像を制御記録装置に伝送するものが提案されている。【０００６】
以下に、従来の監視カメラシステムについて説明する。【０００７】
従来の監視カメラシステムとしては、特許文献１に記載されたものが知られている。図３は、従来の監視カメラシステムの構成を説明する図である。図３において、カメラ部１２０は、監視場所の映像および音声などの情報を取得し、所望の処理を施してカメラ信号を生成するカメラ処理部１０９、カメラ信号に電力線通信に必要な処理を施して第１の電力線通信情報信号を生成する第１の電力線通信処理部１１２、供給されたＡＣ電力を第１のＤＣ電力に変換して、この第１のＤＣ電力と内蔵の第１のＤＣ電源部１３２が出力する第２のＤＣ電力とのどちらかを選択して、カメラ処理部１０９および第１の電力線通信処理部１１２に供給する第１の電源部１１３、ＡＣ電力線に接続されて、ＡＣ電力線にＡＣ電力が供給されている場合には、ＡＣ電力に第１の電力線通信情報信号を重畳した第１の電力線通信信号をＡＣ電力線を介して制御記録部２２０に送信するとともに、ＡＣ電力を分離して第１の電源部１１３に供給する第１のＡＣ／信号重畳分離部１１５、ＡＣ電源ケーブル１１６を備えている。【０００８】
カメラ処理部１０９は、監視場所の映像を取得する撮像部１０１、監視場所の音声を取得するマイクロフォン（以下、「マイク」と略記する）１０２、映像と音声などの情報に所望の処理を施してカメラ信号を生成する信号処理部１０３、カメラ信号を一時的に記録する記録部１０４、信号処理部１０３と記録部１０４の出力するカメラ信号のどちらか一方を選択して、第１の電力線通信処理部１１２に出力する信号選択部１０５から構成される。第１の電源部１１３は、供給されたＡＣ電力を第１のＤＣ電力に変換するＡＣ／ＤＣ変換部１３１、第２のＤＣ電力を出力する内蔵の第１のＤＣ電源部１３２、第１のＤＣ電力と第２のＤＣ電力のどちらかを選択して、カメラ処理部１０９および第１の電力線通信処理部１１２に供給する電源選択部１３３から構成される。【０００９】
図３において、制御記録部２２０は、ＡＣ電力線に接続されてＡＣ電力線にＡＣ電力が供給されている場合には、カメラ部１２０からＡＣ電力線を介して受信した第１の電力線通信信号から、第１の電力線通信情報信号とＡＣ電力を分離して出力する第２のＡＣ／信号重畳分離部２２３、第２のＡＣ／信号重畳分離部２２３から出力された第１の電力線通信情報信号を入力して、カメラ信号を取得する第２の電力線通信処理部２１９、第２の電力線通信処理部２１９から出力されたカメラ信号を入力して、監視場所の映像および音声などの情報を記録するカメラ制御記録処理部２１７、第２のＡＣ／信号重畳分離部２２３から出力されたＡＣ電力を第３のＤＣ電力に変換して、カメラ制御記録処理部２１７および第２の電力線通信処理部２１９に供給する第２の電源部２１４、ＡＣ電源ケーブル１１６を備えている。【００１０】
カメラ制御記録処理部２１７は、カメラ部１２０を制御する制御信号を生成するカメラ制御部２７１、第２の電力線通信処理部２１９から出力されるカメラ信号を記録するカメラ信号記録部２７２から構成される。第２の電源部２１４は、供給されたＡＣ電力を第３のＤＣ電力に変換するＡＣ／ＤＣ変換部２１１から構成される。【００１１】
この従来の監視カメラシステムを構成するカメラ部１２０と制御記録部２２０とは、ＡＣ電源ケーブル１１６を介して、配電盤の同じブレーカにつながるＡＣ電力線に接続されている。そして、このＡＣ電力線によってＡＣ電力が供給されると同時に、各種の情報通信を行うことができる。なお、配電盤の同じブレーカにつながるＡＣ電力線に接続されていることは必ずしも必要ではなく、配電盤の外部のＡＣ電力線を経由してカメラ部１２０と制御記録部２２０とが接続されていても構わない。これらの接続については、本発明の実施の形態でも同様である。【００１２】
図４は、従来の監視カメラシステムで行われる電力線通信において、ＡＣ電力に電力線通信情報信号を重畳する様子を説明する図である。図４において、左上図は、商用電力線に供給されている周波数５０Ｈｚまたは６０Ｈｚで１００ＶのＡＣ電力であり、左下図は、ＡＣ電力線を介して伝送したい映像信号や音声信号および制御信号などから生成した電力線通信情報信号である。通常、電力線通信では、この電力線通信情報信号をＡＣ電力に重畳して、図４の右図に示すような電力線通信信号を生成して、これにより、ＡＣ電力線を介して情報信号が伝送されることになる。このような、ＡＣ電力に電力線通信情報信号を重畳する方式についても、本発明の実施の形態でも同様である。【００１３】
上記のような構成により、従来の監視カメラシステムにおいて、ＡＣ電力が供給されている期間は、カメラ部１２０では、供給されたＡＣ電力からＡＣ／ＤＣ変換部１３１において変換された第１のＤＣ電力が、カメラ処理部１０９および第１の電力線通信処理部１１２に供給される。第１の電力線通信処理部１１２では、撮像部１０１およびマイク１０２により取得された動画像および音声などの情報に所望の処理を施して生成したカメラ信号に、ＯＳＩ（Ｏｐｅｎ  Ｓｙｓｔｅｍｓ  Ｉｎｔｅｒｃｏｎｎｅｃｔｉｏｎ）参照モデルで定義された各階層でのプロトコル処理や電力線通信プロトコル処理など、電力線通信に必要な処理を施して、図４の左下図に示すような第１の電力線通信情報信号を生成する。第１のＡＣ／信号重畳分離部１１５では、この第１の電力線通信情報信号をＡＣ電力に重畳した、図４の右図に示すような第１の電力線通信信号を、ＡＣ電力線を介して制御記録部２２０に送信する。制御記録部２２０では、第２のＡＣ／信号重畳分離部２２３において、カメラ部１２０から受信した第１の電力線通信信号から、第１の電力線通信情報信号を分離する。そして、第２の電力線通信処理部２１９において、第１の電力線通信情報信号から取得したカメラ信号を、カメラ信号記録部２７２に記録する。【００１４】
一方、ＡＣ電力が途絶えている期間は、カメラ部１２０では、内蔵の第１のＤＣ電源部１３２が出力する第２のＤＣ電力がカメラ処理部１０９に供給され、撮像部１０１により一定時間毎に間欠的に取得された静止画像の情報に、所望の処理を施して生成したカメラ信号を一時的に記録部１０４に蓄積しておく。そして、ＡＣ電力供給が復旧した後に、記録部１０４に蓄積されていた静止画像から生成されたカメラ信号に、第１の電力線通信処理部１１２において上記と同様の各種プロトコル処理など電力線通信に必要な処理を施して、図４の左下図に示すような第１の電力線通信情報信号を生成する。そして、第１のＡＣ／信号重畳分離部１１５においては、この第１の電力線通信情報信号をＡＣ電力に重畳した、図４の右図に示すような第１の電力線通信信号を、ＡＣ電力線を介して制御記録部２２０に送信する。【００１５】
制御記録部２２０では、第２のＡＣ／信号重畳分離部２２３において、カメラ部１２０から受信した第１の電力線通信信号から第１の電力線通信情報信号を分離する。そして、第２の電力線通信処理部２１９において、第１の電力線通信情報信号から取得したカメラ信号を、カメラ信号記録部２７２に記録する。【００１６】
しかしながら上記従来の監視カメラシステムでは、ＡＣ電力が途絶えている期間は、記録部１０４の記録容量による制限と内蔵の第１のＤＣ電源部１３２のＤＣ電力容量の消費を抑えるため、一定時間毎に間欠的に静止画像を撮像して記録部１０４に蓄積している。従って、ＡＣ電力が供給されている期間に比べてその情報量は低下していることになり、ＡＣ電力が途絶えている期間に監視場所にて発生した重要な情報が欠落する可能性がある。また、この期間は制御記録部２２０との通信が一切行われず、従って、制御記録部２２０からカメラ部１２０のパン、チルト、ズームなどの動作を遠隔制御することができない。
【特許文献１】特開２００４−１２０１８７号公報
【発明の開示】
【００１７】
本発明は上記従来の問題点を解決するもので、ＡＣ電力が途絶えている場合にも、ＡＣ電力が供給されている場合と同等の通常動作が可能な、電力線通信技術を用いた監視カメラシステムを提供するものである。
【００１８】
そのために、本発明は、カメラ部と制御記録部とから構成され、カメラ部と制御記録部の間のデータの伝送は電力線通信を用いて行う監視カメラシステムにおいて、カメラ部は、監視場所の映像および音声などの情報を取得して所望の処理を施してカメラ信号を生成するカメラ処理部と、カメラ信号に電力線通信に必要な処理を施して、第１の電力線通信情報信号を生成する第１の電力線通信処理部と、供給されたＡＣ電力を第１のＤＣ電力に変換して、第１のＤＣ電力と内蔵の第１のＤＣ電源部が出力する第２のＤＣ電力とのどちらかを選択して、カメラ処理部と第１の電力線通信処理部に供給する第１の電源部と、ＡＣ電力線に接続されて、ＡＣ電力線にＡＣ電力が供給されている場合には、ＡＣ電力に第１の電力線通信情報信号を重畳した第１の電力線通信信号をＡＣ電力線を介して制御記録部に送信するとともに、ＡＣ電力を分離して第１の電源部に供給し、ＡＣ電力線にＡＣ電力が供給されていない場合には、第１の電力線通信情報信号のみをＡＣ電力線を介して制御記録部に送信する第１のＡＣ／信号重畳分離選択部とを備える。制御記録部は、ＡＣ電力線に接続されて、ＡＣ電力線にＡＣ電力が供給されている場合には、カメラ部からＡＣ電力線を介して受信した第１の電力線通信信号から、第１の電力線通信情報信号とＡＣ電力を分離して出力し、ＡＣ電力線にＡＣ電力が供給されていない場合には、カメラ部からＡＣ電力線を介して受信した第１の電力線通信情報信号のみを出力する第２のＡＣ／信号重畳分離選択部と、第２のＡＣ／信号重畳分離選択部から出力された第１の電力線通信情報信号を入力して、カメラ信号を取得する第２の電力線通信処理部と、第２の電力線通信処理部から出力されたカメラ信号を入力して、監視場所の映像および音声などの情報を記録するカメラ制御記録処理部と、第２のＡＣ／信号重畳分離選択部から出力されたＡＣ電力を第３のＤＣ電力に変換して、第３のＤＣ電力と内蔵の第２のＤＣ電源部が出力する第４のＤＣ電力とのどちらかを選択して、カメラ制御記録処理部と第２の電力線通信処理部に供給する第２の電源部とを備える。このような構成によって、カメラ部と制御記録部の双方が同一のＡＣ電力線に接続されていれば、ＡＣ電力の供給が途絶えた時であっても、内蔵のＤＣ電力に切替えることにより、ＡＣ電力が供給されている時と同等の動作が可能である。すなわち、ＡＣ電力が供給されていない期間であっても、ＡＣ電力線を使ってカメラ部から制御記録部へ情報信号を伝送できる。
【００１９】
さらに本発明は、ＡＣ電力が供給されていない期間であっても、カメラ部と制御記録部の間で双方向に情報信号を伝送できるため、その期間も制御記録部からカメラ部のパン、チルト、ズームなどの動作を遠隔制御することができ、監視場所にて発生した重要な情報が欠落せずに動画として記録できるなど、ＡＣ電力が供給されている期間と同等な動作が可能な監視カメラシステムを提供することができる。
【図面の簡単な説明】
【００２０】
【図１】図１は本発明の実施の形態１、２、５、６における監視カメラシステムの概略構成を説明する図である。
【図２】図２は本発明の実施の形態３、４、５、６における監視カメラシステムの概略構成を説明する図である。
【図３】図３は従来の監視カメラシステムの概略構成を説明する図である。
【図４】図４は本発明の実施の形態および従来の監視カメラシステムにおいてＡＣ電力に電力線通信情報信号を重畳する様子を説明する図である。
【符号の説明】
【００２１】
１００，１１０，１２０    カメラ部
１０１    撮像部
１０２    マイク
１０３    信号処理部
１０４    記録部
１０５    信号選択部
１０９    カメラ処理部
１１２    第１の電力線通信処理部
１１３    第１の電源部
１１４    第１のＡＣ／信号重畳分離選択部
１１５    第１のＡＣ／信号重畳分離部
１１６    ＡＣ電源ケーブル
１１７    第１の無線通信処理部
１３１，２０１，２１１    ＡＣ／ＤＣ変換部
１３２    第１のＤＣ電源部
１３３，２０３    電源選択部
２００，２１０，２２０    制御記録部
２０２    第２のＤＣ電源部
２０４，２１４    第２の電源部
２１７    カメラ制御記録処理部
２１８    第２の無線通信処理部
２１９    第２の電力線通信処理部
２２２    第２のＡＣ／信号重畳分離選択部
２２３    第２のＡＣ／信号重畳分離部
２７１    カメラ制御部
２７２    カメラ信号記録部
【発明を実施するための最良の形態】
【００２２】
以下、本発明の実施の形態について、図１、図２および図４を用いて説明する。図４は、従来の電力線通信においてＡＣ電力に電力線通信情報信号を重畳する様子を説明する図であるとともに、本発明の実施の形態の電力線通信においてＡＣ電力に電力線通信情報信号を重畳する様子を説明する図でもある。すなわち、ＡＣ電力に電力線通信情報信号が重畳された様子は、従来の電力線通信と本発明の実施の形態とで変わらない。【００２３】
（実施の形態１）
図１は、本発明の実施の形態１の監視カメラシステムの概略構成を示す図であり、従来の監視カメラシステムの図３と同様の構成は同一の番号を付与し説明を省略する。図１において、第１のＡＣ／信号重畳分離選択部１１４は、カメラ部１００がＡＣ電力線に接続されてＡＣ電力線にＡＣ電力が供給されている場合には、ＡＣ電力に第１の電力線通信情報信号を重畳した第１の電力線通信信号をＡＣ電力線を介して制御記録部２００に送信するとともに、ＡＣ電力を分離して第１の電源部１１３に供給し、ＡＣ電力線にＡＣ電力が供給されていない場合には、第１の電力線通信情報信号のみをＡＣ電力線を介して制御記録部２００に送信する。第２のＡＣ／信号重畳分離選択部２２２は、制御記録部２００がＡＣ電力線に接続されてＡＣ電力線にＡＣ電力が供給されている場合には、カメラ部１００からＡＣ電力線を介して受信した第１の電力線通信信号から、第１の電力線通信情報信号とＡＣ電力を分離して出力し、ＡＣ電力線にＡＣ電力が供給されていない場合には、カメラ部１００からＡＣ電力線を介して受信した第１の電力線通信情報信号のみを出力する。第２の電源部２０４は、第２のＡＣ／信号重畳分離選択部２２２から出力されたＡＣ電力を第３のＤＣ電力に変換して、この第３のＤＣ電力と内蔵の第２のＤＣ電源部２０２が出力する第４のＤＣ電力とのどちらかを選択して、カメラ制御記録処理部２１７と第２の電力線通信処理部２１９に供給する。また、第２の電源部２０４は、第１の電源部１１３と同様に、供給されたＡＣ電力を第３のＤＣ電力に変換するＡＣ／ＤＣ変換部２０１、第４のＤＣ電力を出力する内蔵の第２のＤＣ電源部２０２、第３のＤＣ電力と第４のＤＣ電力とのどちらかを選択して、カメラ制御記録処理部２１７および第２の電力線通信処理部２１９に供給する電源選択部２０３から構成される。【００２４】
以下、本発明の実施の形態１の監視カメラシステムについて、図１および図４を用いてさらに詳しく説明する。【００２５】
本発明の実施の形態１の監視カメラシステムでは、ＡＣ電力が供給されている期間は、従来の監視カメラシステムと同様の動作を行う。カメラ部１００では、供給されたＡＣ電力からＡＣ／ＤＣ変換部１３１において変換された第１のＤＣ電力が、カメラ処理部１０９および第１の電力線通信処理部１１２に供給される。第１の電力線通信処理部１１２では、撮像部１０１およびマイク１０２により取得された動画像および音声などの情報に所望の処理を施して生成したカメラ信号に、ＯＳＩ参照モデルで定義された各階層でのプロトコル処理や電力線通信プロトコル処理など、電力線通信に必要な処理を施して、図４の左下図に示すような第１の電力線通信情報信号を生成する。第１のＡＣ／信号重畳分離選択部１１４では、この第１の電力線通信情報信号をＡＣ電力に重畳した図４の右図に示すような第１の電力線通信信号を、ＡＣ電力線を介して制御記録部２００に送信する。制御記録部２００では、供給されたＡＣ電力から、ＡＣ／ＤＣ変換部２０１において変換された第３のＤＣ電力が、カメラ制御記録処理部２１７および第２の電力線通信処理部２１９に供給される。そして、第２のＡＣ／信号重畳分離選択部２２２において、カメラ部１００から受信した第１の電力線通信信号から第１の電力線通信情報信号を分離して、第２の電力線通信処理部２１９において第１の電力線通信情報信号から取得したカメラ信号を、カメラ信号記録部２７２に記録する。【００２６】
一方、ＡＣ電力が途絶えている期間は、カメラ部１００では内蔵の第１のＤＣ電源部１３２の出力する第２のＤＣ電力が、カメラ処理部１０９および第１の電力線通信処理部１１２に供給される。カメラ処理部１０９では、ＡＣ電力が供給されている期間と同様に、撮像部１０１およびマイク１０２により取得された動画像および音声などの情報に所望の処理を施して生成したカメラ信号に、第１の電力線通信処理部１１２において同様の各種プロトコル処理など電力線通信に必要な処理を施して、図４の左下図に示すような第１の電力線通信情報信号を生成する。そして、ＡＣ電力線にはＡＣ電力は供給されていないので、第１のＡＣ／信号重畳分離選択部１１４において、第１の電力線通信情報信号をそのままＡＣ電力線を介して制御記録部２００に送信する。【００２７】
制御記録部２００では、内蔵の第２のＤＣ電源部２０２の出力する第４のＤＣ電力が、カメラ制御記録処理部２１７および第２の電力線通信処理部２１９に供給される。第２のＡＣ／信号重畳分離選択部２２２においては、カメラ部１００から受信した第１の電力線通信情報信号を出力して、第２の電力線通信処理部２１９において第１の電力線通信情報信号から取得したカメラ信号を、カメラ信号記録部２７２に記録する。【００２８】
なお、ここで、信号処理部１０３において所望の処理を施して生成したカメラ信号は、直接第１の電力線通信処理部１１２に出力してもよいし、一旦記録部１０４に記録した後に所望のタイミングで読み出して第１の電力線通信処理部１１２に出力するようにしてもよい。【００２９】
また、ここで、カメラ部１００と制御記録部２００とに対する、ＡＣ電力が供給されているか否かの判断は、これらの機器の操作者等の人が判断したり、もしくは本発明の監視カメラシステムの外部に備えられた図示しないＡＣ電力監視部やその他の機器等が判断して、カメラ部１００や制御記録部２００に入力したり、あるいは通知する。【００３０】
以上のように本実施の形態によれば、カメラ部１００と制御記録部２００の双方が同一のＡＣ電力線に接続されていれば、ＡＣ電力の供給が途絶えた時であっても、それぞれが内蔵するＤＣ電力に切替えることにより、ＡＣ電力線を使ってカメラ部１００から制御記録部２００へ情報信号を伝送できる。そのため、ＡＣ電力が供給されている時と同等の動作が可能であり、その期間に監視場所にて発生した重要な情報が欠落せずに動画として記録できる監視カメラシステムを実現することができる。【００３１】
（実施の形態２）
図１は、本発明の実施の形態２の監視カメラシステムの概略構成をも示す図であり、基本的な動作は本発明の実施の形態１の監視カメラシステムと同様である。【００３２】
本実施の形態においては、カメラ制御記録処理部２１７では、例えばパン、チルト、ズームなど、カメラ部１００の動作を制御するカメラ制御信号を生成し、第２の電力線通信処理部２１９は、これらのカメラ制御信号に電力線通信に必要な処理を施して第２の電力線通信情報信号を生成する。第２のＡＣ／信号重畳分離選択部２２２は、ＡＣ電力線にＡＣ電力が供給されている場合には、ＡＣ電力に第２の電力線通信情報信号を重畳した第２の電力線通信信号を、ＡＣ電力線を介してカメラ部１００に送信するとともに、ＡＣ電力を分離して第２の電源部２０４に供給する。また、ＡＣ電力線にＡＣ電力が供給されていない場合には、第２の電力線通信情報信号のみをＡＣ電力線を介してカメラ部１００に送信する。第１のＡＣ／信号重畳分離選択部１１４は、ＡＣ電力線にＡＣ電力が供給されている場合には、制御記録部２００からＡＣ電力線を介して受信した第２の電力線通信信号から、第２の電力線通信情報信号とＡＣ電力を分離して出力する。また、ＡＣ電力線にＡＣ電力が供給されていない場合には、制御記録部２００からＡＣ電力線を介して受信した第２の電力線通信情報信号のみを出力する。第１の電力線通信処理部１１２は、第１のＡＣ／信号重畳分離選択部１１４から出力された第２の電力線通信情報信号を入力してカメラ制御信号を取得し、カメラ処理部１０９は、第１の電力線通信処理部１１２から出力されたカメラ制御信号を入力してカメラ部１００の動作を制御する。【００３３】
以下、本発明の実施の形態２の監視カメラシステムについて図１および図４を用いてさらに詳しく説明する。【００３４】
本発明の実施の形態２の監視カメラシステムでは、ＡＣ電力が供給されている期間、ＡＣ電力が途絶えている期間とも、第１の電源部１１３および第２の電源部２０４が供給するＤＣ電力の切替え動作や、カメラ部１００で取得した監視場所の映像および音声などの情報を制御記録部２００に送信して記録する動作は、本発明の実施の形態１の監視カメラシステムと同様である。【００３５】
さらに、本発明の実施の形態２の監視カメラシステムでは、制御記録部２００からカメラ部１００へ情報を送信することも可能である。すなわち、ＡＣ電力が供給されている期間は、制御記録部２００では、カメラ制御部２７１で生成されたカメラ制御信号に、第２の電力線通信処理部２１９において同様な各種プロトコル処理など電力線通信に必要な処理を施して、図４の左下図に示すような第２の電力線通信情報信号を生成する。第２のＡＣ／信号重畳分離選択部２２２においては、この第２の電力線通信情報信号をＡＣ電力に重畳した、図４の右図に示すような第２の電力線通信信号を、ＡＣ電力線を介してカメラ部１００に送信する。カメラ部１００では、第１のＡＣ／信号重畳分離選択部１１４において、制御記録部２００から受信した第２の電力線通信信号から、第２の電力線通信情報信号を分離する。そして、第１の電力線通信処理部１１２において第２の電力線通信情報信号から取得したカメラ制御信号を、カメラ処理部１０９に入力して、カメラ部１００のパン、チルト、ズームなどの動作を制御する。【００３６】
一方、ＡＣ電力が途絶えている期間は、制御記録部２００では、ＡＣ電力が供給されている期間と同様に、カメラ制御部２７１で生成されたカメラ制御信号に、第２の電力線通信処理部２１９において同様な各種プロトコル処理など電力線通信に必要な処理を施して、図４の左下図に示すような第２の電力線通信情報信号を生成する。そして、ＡＣ電力線にはＡＣ電力は供給されていないので、第２のＡＣ／信号重畳分離選択部２２２において、第２の電力線通信情報信号をそのままＡＣ電力線を介してカメラ部１００に送信する。カメラ部１００では、第１のＡＣ／信号重畳分離選択部１１４において、制御記録部２００から受信した第２の電力線通信情報信号を出力して、第１の電力線通信処理部１１２において第２の電力線通信情報信号から取得したカメラ制御信号を、カメラ処理部１０９に入力して、カメラ部１００のパン、チルト、ズームなどの動作を制御する。【００３７】
カメラ部１００と制御記録部２００とに対するＡＣ電力が供給されているか否かの判断は、実施の形態１と同様に、これらの機器の操作者等が判断したり、もしくは本発明の監視カメラシステムの外部に備えられた図示しないＡＣ電力監視部やその他の機器等が判断して、カメラ部１００や制御記録部２００に入力したり、あるいは通知する。【００３８】
以上のように、本実施の形態によれば、カメラ部１００と制御記録部２００の双方が同一のＡＣ電力線に接続されていれば、ＡＣ電力の供給が途絶えた時であっても、それぞれが内蔵するＤＣ電力に切替えることにより、ＡＣ電力線を使って制御記録部２００からカメラ部１００へ情報信号を伝送できる。そのため、ＡＣ電力が供給されている時と同等の動作が可能であり、その期間もカメラ部１００の動作を制御記録部２００から遠隔制御することができる監視カメラシステムを実現することができる。【００３９】
（実施の形態３）
図２は、本発明の実施の形態３の監視カメラシステムの概略構成を示す図であり、従来の監視カメラシステムの図３および本発明の実施の形態１の図１と同様の構成は、同一の番号を付与し説明を省略する。【００４０】
図２において、カメラ部１１０の第１の無線通信処理部１１７は、カメラ信号に無線通信に必要な処理を施して第１の無線通信情報信号を生成して、制御記録部２１０に送信する。第１の電源部１１３は、供給されたＡＣ電力を第１のＤＣ電力に変換して、この第１のＤＣ電力と内蔵の第１のＤＣ電源部１３２が出力する第２のＤＣ電力とのどちらかを選択して、カメラ処理部１０９と第１の電力線通信処理部１１２および第１の無線通信処理部１１７に供給する。制御記録部２１０の第２の無線通信処理部２１８は、カメラ部１１０から受信した第１の無線通信情報信号を入力して、カメラ信号を取得する。カメラ制御記録処理部２１７は、第２の電力線通信処理部２１９と第２の無線通信処理部２１８から出力されたカメラ信号のうち少なくとも一方を入力して、監視場所の映像および音声などの情報を記録する。第２の電源部２０４は、第２のＡＣ／信号重畳分離部２２３から出力されたＡＣ電力を第３のＤＣ電力に変換して、この第３のＤＣ電力と内蔵の第２のＤＣ電源部２０２が出力する第４のＤＣ電力とのどちらかを選択して、カメラ制御記録処理部２１７と第２の電力線通信処理部２１９および第２の無線通信処理部２１８に供給する。【００４１】
以下、本発明の実施の形態３の監視カメラシステムについて、図２および図４を用いてさらに詳しく説明する。図４はまた、実施の形態３の電力線通信においてＡＣ電力に電力線通信情報信号を重畳する様子を説明する図でもある。【００４２】
本発明の実施の形態３の監視カメラシステムでは、ＡＣ電力が供給されている期間における、第１の電源部１１３および第２の電源部２０４が供給するＤＣ電力の切替え動作、カメラ部１１０で取得した監視場所の映像および音声などの情報を制御記録部２１０に送信して記録する動作は、本発明の実施の形態１の監視カメラシステムと同様である。【００４３】
本実施の形態において、ＡＣ電力が途絶えている期間は、カメラ部１１０では内蔵の第１のＤＣ電源部１３２が出力する第２のＤＣ電力が、カメラ処理部１０９および第１の無線通信処理部１１７に供給される。カメラ処理部１０９では、ＡＣ電力が供給されている期間と同様に、撮像部１０１およびマイク１０２により取得された動画像および音声などの情報に所望の処理を施して生成したカメラ信号に、第１の無線通信処理部１１７においてＯＳＩ参照モデルで定義された各階層でのプロトコル処理や無線通信プロトコル処理など、無線通信に必要な処理を施して第１の無線通信情報信号を生成し、制御記録部２１０に送信する。【００４４】
制御記録部２１０では、内蔵の第２のＤＣ電源部２０２が出力する第４のＤＣ電力がカメラ制御記録処理部２１７および第２の無線通信処理部２１８に供給される。第２の無線通信処理部２１８においては、カメラ部１１０側から受信した第１の無線通信情報信号からカメラ信号を取得し、カメラ信号記録部２７２に記録する。【００４５】
なお、ここで、信号処理部１０３において所望の処理を施して生成したカメラ信号は、直接第１の無線通信処理部１１７に出力してもよいし、一旦記録部１０４に記録した後に所望のタイミングで読み出して第１の無線通信処理部１１７に出力するようにしてもよい。【００４６】
なお、ここでは、カメラ部１１０と制御記録部２１０の間の伝送を電力線通信で行うか無線通信で行うかの切替えは、ＡＣ電力が供給されているか否かにより行っているが、電力線通信および無線通信の伝送路状態の良し悪しで判断して切替えを行ってもよい。【００４７】
このような、カメラ部１１０と制御記録部２１０とに対するＡＣ電力が供給されているか否かの判断は、これらの機器の操作者等の人が判断したり、もしくは本発明の監視カメラシステムの外部に備えられた図示しないＡＣ電力監視部やその他の機器等が判断して、カメラ部１１０や制御記録部２１０に入力したり、あるいは通知する。電力線通信および無線通信の伝送路状態の良し悪しも、操作者等が何らかの計測装置等を使って判断したり、もしくは本発明の監視カメラシステムの内部もしくは外部に備えられた図示しない伝送路状態監視部やその他の機器等が判断して、カメラ部１１０や制御記録部２１０に入力したり、あるいは通知する。【００４８】
以上のように本実施の形態によれば、カメラ部１１０と制御記録部２１０が異なるＡＣ電力線に接続されていて、少なくとも一方のＡＣ電力の供給が途絶えた時であっても、それぞれが内蔵するＤＣ電力に切替えることにより、無線通信を使ってカメラ部１１０から制御記録部２１０へ情報信号を伝送できる。そのため、ＡＣ電力が供給されている時と同等の動作が可能であり、その期間に監視場所にて発生した重要な情報が欠落せずに動画として記録できる監視カメラシステムを実現することができる。【００４９】
（実施の形態４）
図２は、本発明の実施の形態４の監視カメラシステムの概略構成をも示す図であり、基本的な動作は本発明の実施の形態３の監視カメラシステムと同様である。【００５０】
本実施の形態において、カメラ制御記録処理部２１７では、例えばパン、チルト、ズームなど、カメラ部１１０の動作を制御するカメラ制御信号を生成し、第２の電力線通信処理部２１９は、これらのカメラ制御信号に電力線通信に必要な処理を施して第２の電力線通信情報信号を生成する。第２の無線通信処理部２１８は、カメラ制御信号に無線通信に必要な処理を施して第２の無線通信情報信号を生成してカメラ部１１０に送信する。第２のＡＣ／信号重畳分離部２２３は、ＡＣ電力線にＡＣ電力が供給されている場合には、ＡＣ電力に第２の電力線通信情報信号を重畳した第２の電力線通信信号を、ＡＣ電力線を介してカメラ部１１０に送信するとともに、ＡＣ電力を分離して第２の電源部２０４に供給する。第１のＡＣ／信号重畳分離部１１５は、ＡＣ電力線にＡＣ電力が供給されている場合には、制御記録部２１０からＡＣ電力線を介して受信した第２の電力線通信信号から、第２の電力線通信情報信号とＡＣ電力を分離して出力する。第１の電力線通信処理部１１２は、第１のＡＣ／信号重畳分離部１１５から出力された第２の電力線通信情報信号を入力してカメラ制御信号を取得する。第１の無線通信処理部１１７は、制御記録部２１０から受信した第２の無線通信情報信号を入力してカメラ制御信号を取得する。カメラ処理部１０９は、第１の電力線通信処理部１１２および第１の無線通信処理部１１７から出力されたカメラ制御信号のうち、少なくとも一方を入力してカメラ部１１０の動作を制御する。【００５１】
以下、本発明の実施の形態４の監視カメラシステムについて、図２および図４を用いてさらに詳しく説明する。【００５２】
本発明の実施の形態４の監視カメラシステムでは、ＡＣ電力が供給されている期間、ＡＣ電力が途絶えている期間とも、第１の電源部１１３および第２の電源部２０４が供給するＤＣ電力の切替え動作、カメラ部１１０で取得した監視場所の映像および音声などの情報を制御記録部２１０に送信して記録する動作は、本発明の実施の形態３の監視カメラシステムと同様である。【００５３】
さらに、本発明の実施の形態４の監視カメラシステムでは、制御記録部２１０からカメラ部１１０へ情報を送信することも可能であり、これが実施の形態４の特徴である。【００５４】
ＡＣ電力が供給されている期間は、制御記録部２１０では、カメラ制御部２７１で生成されたカメラ制御信号に、第２の電力線通信処理部２１９において各種プロトコル処理など、電力線通信に必要な処理を施して、図４の左下図に示すような第２の電力線通信情報信号を生成する。第２のＡＣ／信号重畳分離部２２３においては、この第２の電力線通信情報信号にＡＣ電力に重畳した、図４の右図に示すような第２の電力線通信信号を、ＡＣ電力線を介してカメラ部１１０に送信する。カメラ部１１０では、第１のＡＣ／信号重畳分離部１１５において、制御記録部２１０から受信した第２の電力線通信信号から、第２の電力線通信情報信号を分離する。そして、第１の電力線通信処理部１１２において第２の電力線通信情報信号から取得したカメラ制御信号を、カメラ処理部１０９に入力して、カメラ部１１０のパン、チルト、ズームなどの動作を制御する。【００５５】
一方、ＡＣ電力が途絶えている期間は、制御記録部２１０ではＡＣ電力が供給されている期間と同様に、カメラ制御部２７１で生成されたカメラ制御信号に、第２の無線通信処理部２１８において各種プロトコル処理など、無線通信に必要な処理を施して第２の無線通信情報信号を生成し、カメラ部１１０に送信する。カメラ部１１０では、第１の無線通信処理部１１７において制御記録部２１０から受信した第２の無線通信情報信号からカメラ制御信号を取得し、カメラ処理部１０９に入力して、カメラ部１１０のパン、チルト、ズームなどの動作を制御する。【００５６】
なお、ここでは、カメラ部１１０と制御記録部２１０の間の伝送を電力線通信で行うか、無線通信で行うかの切替えは、ＡＣ電力が供給されているか否かにより行っているが、電力線通信および無線通信の伝送路状態の良し悪しで判断して切替えを行ってもよい。【００５７】
カメラ部１１０と制御記録部２１０とに対するＡＣ電力が供給されているか否かの判断は、実施の形態３と同様に、これらの機器の操作者等の人が判断したり、もしくは本発明の監視カメラシステムの外部に備えられた図示しないＡＣ電力監視部やその他の機器等が判断して、カメラ部１１０や制御記録部２１０に入力したり、あるいは通知する。電力線通信および無線通信の伝送路状態の良し悪しも、操作者等が何らかの計測装置等を使って判断したり、もしくは本発明の監視カメラシステムの内部もしくは外部に備えられた図示しない伝送路状態監視部やその他の機器等が判断して、カメラ部１１０や制御記録部２１０に入力したり、あるいは通知する。【００５８】
以上のように本実施の形態によれば、カメラ部１１０と制御記録部２１０が異なるＡＣ電力線に接続されていて、少なくとも一方のＡＣ電力の供給が途絶えた時であっても、それぞれが内蔵するＤＣ電力に切替えることにより、無線通信を使って制御記録部２１０からカメラ部１１０へ情報信号を伝送できる。すなわち、ＡＣ電力が供給されていない期間であっても、無線通信を使ってカメラ部１１０から制御記録部２１０へ、またその逆方向に、制御記録部２１０からカメラ部１１０へ情報信号を伝送できる。そのため、ＡＣ電力が供給されている時と同等の動作が可能であり、その期間もカメラ部１１０の動作を遠隔制御することができる監視カメラシステムを実現することができる。【００５９】
（実施の形態５）
図１および図２は、本発明の実施の形態５の監視カメラシステムの概略構成をも示す図であり、従来の監視カメラシステムの図３、および本発明の実施の形態１、２の図１、および本発明の実施の形態３、４の図２と同様の構成は、同一の番号を付与し説明を省略する。【００６０】
本実施の形態において、第１の電源部１１３は、ＡＣ電力が供給されている時には、この供給されたＡＣ電力を第１のＤＣ電力に変換して、この第１のＤＣ電力と内蔵の第１のＤＣ電源部１３２が出力する第２のＤＣ電力とのどちらかを、ＡＣ電力が供給されているか否かを検出することによって選択して、カメラ処理部１０９と第１の電力線通信処理部１１２および第１の無線通信処理部１１７に供給する。また、第１の電源部１１３は、供給されたＡＣ電力を第１のＤＣ電力に変換するＡＣ／ＤＣ変換部１３１、第２のＤＣ電力を出力する内蔵の第１のＤＣ電源部１３２、第１のＤＣ電力と第２のＤＣ電力とのどちらかを選択して、カメラ処理部１０９と第１の電力線通信処理部１１２および第１の無線通信処理部１１７に供給する電源選択部１３３から構成される。【００６１】
第２の電源部２０４は、ＡＣ電力が供給されている時には、第２のＡＣ／信号重畳分離選択部２２２または第２のＡＣ／信号重畳分離部２２３から出力されたＡＣ電力を第３のＤＣ電力に変換して、この第３のＤＣ電力と内蔵の第２のＤＣ電源部２０２が出力する第４のＤＣ電力とのどちらかを、ＡＣ電力が供給されているか否かを検出することによって選択して、カメラ制御記録処理部２１７と第２の電力線通信処理部２１９および第２の無線通信処理部２１８に供給する。また、第２の電源部２０４は、供給されたＡＣ電力を第３のＤＣ電力に変換するＡＣ／ＤＣ変換部２０１、第４のＤＣ電力を出力する内蔵の第２のＤＣ電源部２０２、第３のＤＣ電力と第４のＤＣ電力とのどちらかを選択してカメラ制御記録処理部２１７と第２の電力線通信処理部２１９および第２の無線通信処理部２１８に供給する電源選択部２０３から構成される。【００６２】
以下、本発明の実施の形態５の監視カメラシステムについて、図１および図２を用いてさらに詳しく説明する。【００６３】
本発明の実施の形態５の監視カメラシステムでは、各部の動作は本発明の実施の形態１から４の監視カメラシステムの動作と同様である。その一方、ＡＣ電力が供給されているか否かは自身で検出して、ＡＣ電力が供給されている場合は、ＡＣ／ＤＣ変換部１３１が出力する第１のＤＣ電力およびＡＣ／ＤＣ変換部２０１が出力する第３のＤＣ電力を、ＡＣ電力が供給されていない場合は、内蔵の第１のＤＣ電源部１３２が出力する第２のＤＣ電力および内蔵の第２のＤＣ電源部２０２が出力する第４のＤＣ電力を選択して、それぞれ各部に供給する。【００６４】
以上のように本実施の形態によれば、ＡＣ電力が供給されているか否かを検出して、自動的に内蔵のＤＣ電源での駆動に切替えて監視動作を続けることができる監視カメラシステムを実現することができる。【００６５】
（実施の形態６）
図１および図２は、本発明の実施の形態６の監視カメラシステムの概略構成をも示す図であり、本発明の実施の形態６の主な構成は本発明の実施の形態５と変わらない。従って、これらについては詳細な説明を省略し、本発明の実施の形態６が本発明の実施の形態５と異なる部分を中心に説明する。【００６６】
本発明の実施の形態６の、第１のＤＣ電源部１３２および第２のＤＣ電源部２０２は、内部に充電機能を有している。そして、この第１のＤＣ電源部１３２および第２のＤＣ電源部２０２は、供給されたＡＣ電力によって充電される。この点に関して、本発明の実施の形態６は、本発明の実施の形態５と異なっている。【００６７】
以下、本発明の実施の形態６の監視カメラシステムについて、図１または図２を用いてさらに詳しく説明する。【００６８】
本発明の実施の形態６の監視カメラシステムでは、各部の主要な動作は本発明の実施の形態１から５の監視カメラシステムの動作と同様である。その一方、ＡＣ電力が供給されている場合は、ＡＣ／ＤＣ変換部１３１および２０１が出力する第１のＤＣ電力および第３のＤＣ電力は各部に供給されると共に、内蔵の第１のＤＣ電源部１３２および第２のＤＣ電源部２０２にも供給されて、これらが有する充電機能によりそれぞれ第１のＤＣ電源部１３２および第２のＤＣ電源部２０２を充電する。【００６９】
以上のように、本実施の形態によれば、ＡＣ電力が供給されている期間に内蔵のＤＣ電源は充電されて、ＡＣ電力が途絶えた時のＤＣ電源による駆動に備えることができる監視カメラシステムを実現することができる。
【産業上の利用可能性】
【００７０】
本発明にかかる監視カメラシステムは、電源ケーブルを接続するだけで簡単に使用でき、ＡＣ電力が供給されている期間だけでなく、ＡＣ電力の供給が途絶えている期間であっても同等な動作を行うことが可能であるため、監視場所の情報を欠落することなく常時記録に残しておく必要がある監視カメラシステムに有用である。
【図１】
2007091423.tif 000003
【図２】
2007091423.tif 000004
【図３】
2007091423.tif 000005
【図４】
2007091423.tif 000006
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
カメラ部と制御記録部とから構成され、前記カメラ部と前記制御記録部の間のデータの伝送は電力線通信を用いて行う監視カメラシステムにおいて、
前記カメラ部は、
監視場所の映像および音声などの情報を取得して、所望の処理を施してカメラ信号を生成するカメラ処理部と、
前記カメラ信号に電力線通信に必要な処理を施して、第１の電力線通信情報信号を生成する第１の電力線通信処理部と、
供給されたＡＣ電力を第１のＤＣ電力に変換して、前記第１のＤＣ電力と内蔵の第１のＤＣ電源部が出力する第２のＤＣ電力とのどちらかを選択して、前記カメラ処理部と前記第１の電力線通信処理部に供給する第１の電源部と、
ＡＣ電力線に接続されて、前記ＡＣ電力線に前記ＡＣ電力が供給されている場合には、前記ＡＣ電力に前記第１の電力線通信情報信号を重畳した第１の電力線通信信号を前記ＡＣ電力線を介して前記制御記録部に送信するとともに、前記ＡＣ電力を分離して前記第１の電源部に供給し、前記ＡＣ電力線に前記ＡＣ電力が供給されていない場合には、前記第１の電力線通信情報信号のみを前記ＡＣ電力線を介して前記制御記録部に送信する第１のＡＣ／信号重畳分離選択部とを備え、
前記制御記録部は、
前記ＡＣ電力線に接続されて、前記ＡＣ電力線に前記ＡＣ電力が供給されている場合には、前記カメラ部から前記ＡＣ電力線を介して受信した前記第１の電力線通信信号から、前記第１の電力線通信情報信号と前記ＡＣ電力を分離して出力し、前記ＡＣ電力線に前記ＡＣ電力が供給されていない場合には、前記カメラ部から前記ＡＣ電力線を介して受信した前記第１の電力線通信情報信号のみを出力する第２のＡＣ／信号重畳分離選択部と、
前記第２のＡＣ／信号重畳分離選択部から出力された前記第１の電力線通信情報信号を入力して、前記カメラ信号を取得する第２の電力線通信処理部と、
前記第２の電力線通信処理部から出力された前記カメラ信号を入力して、前記監視場所の映像および音声などの情報を記録するカメラ制御記録処理部と、
前記第２のＡＣ／信号重畳分離選択部から出力された前記ＡＣ電力を第３のＤＣ電力に変換して、前記第３のＤＣ電力と内蔵の第２のＤＣ電源部が出力する第４のＤＣ電力とのどちらかを選択して、前記カメラ制御記録処理部と前記第２の電力線通信処理部に供給する第２の電源部とを備えたことを特徴とする監視カメラシステム。
【請求項２】
前記カメラ制御記録処理部は、前記カメラ部の動作を制御するカメラ制御信号を生成し、前記第２の電力線通信処理部は、前記カメラ制御信号に電力線通信に必要な処理を施して第２の電力線通信情報信号を生成し、
前記第２のＡＣ／信号重畳分離選択部は、前記ＡＣ電力線に前記ＡＣ電力が供給されている場合には、前記ＡＣ電力に前記第２の電力線通信情報信号を重畳した第２の電力線通信信号を前記ＡＣ電力線を介して前記カメラ部に送信するとともに、前記ＡＣ電力を分離して前記第２の電源部に供給し、前記ＡＣ電力線に前記ＡＣ電力が供給されていない場合には、前記第２の電力線通信情報信号のみを前記ＡＣ電力線を介して前記カメラ部に送信し、
前記第１のＡＣ／信号重畳分離選択部は、前記ＡＣ電力線に前記ＡＣ電力が供給されている場合には、前記制御記録部から前記ＡＣ電力線を介して受信した前記第２の電力線通信信号から、前記第２の電力線通信情報信号と前記ＡＣ電力を分離して出力し、前記ＡＣ電力線に前記ＡＣ電力が供給されていない場合には、前記制御記録部から前記ＡＣ電力線を介して受信した前記第２の電力線通信情報信号のみを出力し、
前記第１の電力線通信処理部は、前記第１のＡＣ／信号重畳分離選択部から出力された前記第２の電力線通信情報信号を入力して前記カメラ制御信号を取得し、
前記カメラ処理部は、前記第１の電力線通信処理部から出力された前記カメラ制御信号を入力して前記カメラ部の動作を制御することを特徴とする請求項１記載の監視カメラシステム。
【請求項３】
カメラ部と制御記録部とから構成され、前記カメラ部と前記制御記録部の間のデータの伝送は電力線通信を用いて行う監視カメラシステムにおいて、
前記カメラ部は、
監視場所の映像および音声などの情報を取得して、所望の処理を施してカメラ信号を生成するカメラ処理部と、
前記カメラ信号に電力線通信に必要な処理を施して、第１の電力線通信情報信号を生成する第１の電力線通信処理部と、
前記カメラ信号に無線通信に必要な処理を施して、第１の無線通信情報信号を生成して、前記制御記録部に送信する第１の無線通信処理部と、
供給されたＡＣ電力を第１のＤＣ電力に変換して、前記第１のＤＣ電力と内蔵の第１のＤＣ電源部が出力する第２のＤＣ電力とのどちらかを選択して、前記カメラ処理部と前記第１の電力線通信処理部および前記第１の無線通信処理部に供給する第１の電源部と、
ＡＣ電力線に接続されて、前記ＡＣ電力線に前記ＡＣ電力が供給されている場合には、前記ＡＣ電力に前記第１の電力線通信情報信号を重畳した第１の電力線通信信号を前記ＡＣ電力線を介して前記制御記録部に送信するとともに、前記ＡＣ電力を分離して前記第１の電源部に供給する第１のＡＣ／信号重畳分離部とを備え、
前記制御記録部は、
前記ＡＣ電力線に接続されて、前記ＡＣ電力線に前記ＡＣ電力が供給されている場合には、前記カメラ部から前記ＡＣ電力線を介して受信した前記第１の電力線通信信号から、前記第１の電力線通信情報信号と前記ＡＣ電力を分離して出力する第２のＡＣ／信号重畳分離部と、
前記第２のＡＣ／信号重畳分離部から出力された前記第１の電力線通信情報信号を入力して、前記カメラ信号を取得する第２の電力線通信処理部と、
前記カメラ部から受信した前記第１の無線通信情報信号を入力して、前記カメラ信号を取得する第２の無線通信処理部と、
前記第２の電力線通信処理部と前記第２の無線通信処理部から出力された前記カメラ信号のうち少なくとも一方を入力して、前記監視場所の映像および音声などの情報を記録するカメラ制御記録処理部と、
前記第２のＡＣ／信号重畳分離部から出力された前記ＡＣ電力を第３のＤＣ電力に変換して、前記第３のＤＣ電力と内蔵の第２のＤＣ電源部が出力する第４のＤＣ電力とのどちらかを選択して、前記カメラ制御記録処理部と前記第２の電力線通信処理部および前記第２の無線通信処理部に供給する第２の電源部とを備えたことを特徴とする監視カメラシステム。
【請求項４】
前記カメラ制御記録処理部は、前記カメラ部の動作を制御するカメラ制御信号を生成し、前記第２の電力線通信処理部は、前記カメラ制御信号に電力線通信に必要な処理を施して第２の電力線通信情報信号を生成し、
前記第２の無線通信処理部は、前記カメラ制御信号に無線通信に必要な処理を施して第２の無線通信情報信号を生成して前記カメラ部に送信し、
前記第２のＡＣ／信号重畳分離部は、前記ＡＣ電力線に前記ＡＣ電力が供給されている場合には、前記ＡＣ電力に前記第２の電力線通信情報信号を重畳した第２の電力線通信信号を前記ＡＣ電力線を介して前記カメラ部に送信するとともに、前記ＡＣ電力を分離して前記第２の電源部に供給し、
第１のＡＣ／信号重畳分離部は、前記ＡＣ電力線に前記ＡＣ電力が供給されている場合には、前記制御記録部から前記ＡＣ電力線を介して受信した前記第２の電力線通信信号から、前記第２の電力線通信情報信号と前記ＡＣ電力を分離して出力し、
前記第１の電力線通信処理部は、前記第１のＡＣ／信号重畳分離部から出力された前記第２の電力線通信情報信号を入力して前記カメラ制御信号を取得し、
前記第１の無線通信処理部は、前記制御記録部から受信した前記第２の無線通信情報信号を入力して前記カメラ制御信号を取得し、
前記カメラ処理部は、前記第１の電力線通信処理部と前記第１の無線通信処理部から出力された前記カメラ制御信号のうち少なくとも一方を入力して、前記カメラ部の動作を制御することを特徴とする請求項３記載の監視カメラシステム。
【請求項５】
前記第１の電源部および前記第２の電源部は、前記ＡＣ電力が供給されているか否かを検出して、前記ＡＣ電力が供給されている場合は前記第１のＤＣ電力および前記第３のＤＣ電力を選択し、前記ＡＣ電力が供給されていない場合は前記第２のＤＣ電力および前記第４のＤＣ電力を選択して供給することを特徴とする請求項１から４のいずれか１項に記載の監視カメラシステム。
【請求項６】
前記第１のＤＣ電源部および前記第２のＤＣ電源部は、供給された前記ＡＣ電力により充電されることを特徴とする請求項１から４のいずれか１項に記載の監視カメラシステム。
【手続補正２】
【補正対象書類名】明細書
【補正対象項目名】全文
【補正方法】変更
【補正の内容】
【発明の詳細な説明】
【技術分野】
【０００１】
本発明は、電力線通信（Ｐｏｗｅｒ  Ｌｉｎｅ  Ｃｏｍｍｕｎｉｃａｔｉｏｎ）を用いてカメラ部と制御記録部の間で監視映像信号や音声信号および制御信号などの伝送を行う監視カメラシステムに関する。
【背景技術】
【０００２】
近年、家電機器等にＡＣ電力を供給するための既存の商用ＡＣ電力線を利用して、ＡＣ電力に映像信号や音声信号および制御信号など各種情報を重畳することにより伝送する電力線通信技術が注目されている。この電力線通信技術をＡＶ機器等に導入することにより、機器間の映像信号や音声信号等を伝送するために電源ケーブルを電源コンセントに接続するだけでよく、新たなケーブルを配線する必要がないため、ユーザの利便性を向上させることができる。
【０００３】
一方、盗難や凶悪犯罪など情勢不安が高まる中、その抑止や発生時の情報を記録するために、ネットワーク機能を搭載した監視カメラが設置される機会も多くなってきている。この監視カメラと、そのパン、チルト、ズームなどや撮像動作などの制御、およびその撮像された監視画像などを記録する制御記録機器との間で双方向に情報を送受信するネットワーク部に、電力線通信技術を導入した監視カメラシステムも提案されている。
【０００４】
通常、電力線通信技術を用いた監視カメラシステムは、家庭内等において商用ＡＣ電力線に接続して使用される。この商用ＡＣ電力線には、この監視カメラシステム以外にも、様々な家電機器などが接続されて動作している環境が想定される。従って、配電盤によりブレーカごとに分岐されたＡＣ電力線の中で、この監視カメラシステムと同一ＡＣ電力線に接続された機器の消費電流の総和が定格電流を超えると、該当する配電盤のブレーカが落ちて監視カメラシステムへのＡＣ電力供給が途絶えることになり、その間の監視画像等は記録されないことになる。
【０００５】
これを解決するために、従来の電力線通信技術を用いた監視カメラシステムでは、上述のようにＡＣ電力が途絶えている期間、カメラは内蔵のＤＣ電源からの電力に切替えることにより動作し、一定時間毎に間欠的に静止画を撮像して、内蔵の記録部に一時的にその静止画を監視画像として蓄積する。そして、ＡＣ電力供給が復旧した後に通常の動作に戻ると共に、蓄積していた監視画像を制御記録装置に伝送するものが提案されている。
【０００６】
以下に、従来の監視カメラシステムについて説明する。
【０００７】
従来の監視カメラシステムとしては、特許文献１に記載されたものが知られている。図３は、従来の監視カメラシステムの構成を説明する図である。図３において、カメラ部１２０は、監視場所の映像および音声などの情報を取得し、所望の処理を施してカメラ信号を生成するカメラ処理部１０９、カメラ信号に電力線通信に必要な処理を施して第１の電力線通信情報信号を生成する第１の電力線通信処理部１１２、供給されたＡＣ電力を第１のＤＣ電力に変換して、この第１のＤＣ電力と内蔵の第１のＤＣ電源部１３２が出力する第２のＤＣ電力とのどちらかを選択して、カメラ処理部１０９および第１の電力線通信処理部１１２に供給する第１の電源部１１３、ＡＣ電力線に接続されて、ＡＣ電力線にＡＣ電力が供給されている場合には、ＡＣ電力に第１の電力線通信情報信号を重畳した第１の電力線通信信号をＡＣ電力線を介して制御記録部２２０に送信するとともに、ＡＣ電力を分離して第１の電源部１１３に供給する第１のＡＣ／信号重畳分離部１１５、ＡＣ電源ケーブル１１６を備えている。
【０００８】
カメラ処理部１０９は、監視場所の映像を取得する撮像部１０１、監視場所の音声を取得するマイクロフォン（以下、「マイク」と略記する）１０２、映像と音声などの情報に所望の処理を施してカメラ信号を生成する信号処理部１０３、カメラ信号を一時的に記録する記録部１０４、信号処理部１０３と記録部１０４の出力するカメラ信号のどちらか一方を選択して、第１の電力線通信処理部１１２に出力する信号選択部１０５から構成される。第１の電源部１１３は、供給されたＡＣ電力を第１のＤＣ電力に変換するＡＣ／ＤＣ変換部１３１、第２のＤＣ電力を出力する内蔵の第１のＤＣ電源部１３２、第１のＤＣ電力と第２のＤＣ電力のどちらかを選択して、カメラ処理部１０９および第１の電力線通信処理部１１２に供給する電源選択部１３３から構成される。
【０００９】
図３において、制御記録部２２０は、ＡＣ電力線に接続されてＡＣ電力線にＡＣ電力が供給されている場合には、カメラ部１２０からＡＣ電力線を介して受信した第１の電力線通信信号から、第１の電力線通信情報信号とＡＣ電力を分離して出力する第２のＡＣ／信号重畳分離部２２３、第２のＡＣ／信号重畳分離部２２３から出力された第１の電力線通信情報信号を入力して、カメラ信号を取得する第２の電力線通信処理部２１９、第２の電力線通信処理部２１９から出力されたカメラ信号を入力して、監視場所の映像および音声などの情報を記録するカメラ制御記録処理部２１７、第２のＡＣ／信号重畳分離部２２３から出力されたＡＣ電力を第３のＤＣ電力に変換して、カメラ制御記録処理部２１７および第２の電力線通信処理部２１９に供給する第２の電源部２１４、ＡＣ電源ケーブル１１６を備えている。
【００１０】
カメラ制御記録処理部２１７は、カメラ部１２０を制御する制御信号を生成するカメラ制御部２７１、第２の電力線通信処理部２１９から出力されるカメラ信号を記録するカメラ信号記録部２７２から構成される。第２の電源部２１４は、供給されたＡＣ電力を第３のＤＣ電力に変換するＡＣ／ＤＣ変換部２１１から構成される。
【００１１】
この従来の監視カメラシステムを構成するカメラ部１２０と制御記録部２２０とは、ＡＣ電源ケーブル１１６を介して、配電盤の同じブレーカにつながるＡＣ電力線に接続されている。そして、このＡＣ電力線によってＡＣ電力が供給されると同時に、各種の情報通信を行うことができる。なお、配電盤の同じブレーカにつながるＡＣ電力線に接続されていることは必ずしも必要ではなく、配電盤の外部のＡＣ電力線を経由してカメラ部１２０と制御記録部２２０とが接続されていても構わない。これらの接続については、本発明の実施の形態でも同様である。
【００１２】
図４は、従来の監視カメラシステムで行われる電力線通信において、ＡＣ電力に電力線通信情報信号を重畳する様子を説明する図である。図４において、左上図は、商用電力線に供給されている周波数５０Ｈｚまたは６０Ｈｚで１００ＶのＡＣ電力であり、左下図は、ＡＣ電力線を介して伝送したい映像信号や音声信号および制御信号などから生成した電力線通信情報信号である。通常、電力線通信では、この電力線通信情報信号をＡＣ電力に重畳して、図４の右図に示すような電力線通信信号を生成して、これにより、ＡＣ電力線を介して情報信号が伝送されることになる。このような、ＡＣ電力に電力線通信情報信号を重畳する方式についても、本発明の実施の形態でも同様である。
【００１３】
上記のような構成により、従来の監視カメラシステムにおいて、ＡＣ電力が供給されている期間は、カメラ部１２０では、供給されたＡＣ電力からＡＣ／ＤＣ変換部１３１において変換された第１のＤＣ電力が、カメラ処理部１０９および第１の電力線通信処理部１１２に供給される。第１の電力線通信処理部１１２では、撮像部１０１およびマイク１０２により取得された動画像および音声などの情報に所望の処理を施して生成したカメラ信号に、ＯＳＩ（Ｏｐｅｎ  Ｓｙｓｔｅｍｓ  Ｉｎｔｅｒｃｏｎｎｅｃｔｉｏｎ）参照モデルで定義された各階層でのプロトコル処理や電力線通信プロトコル処理など、電力線通信に必要な処理を施して、図４の左下図に示すような第１の電力線通信情報信号を生成する。第１のＡＣ／信号重畳分離部１１５では、この第１の電力線通信情報信号をＡＣ電力に重畳した、図４の右図に示すような第１の電力線通信信号を、ＡＣ電力線を介して制御記録部２２０に送信する。制御記録部２２０では、第２のＡＣ／信号重畳分離部２２３において、カメラ部１２０から受信した第１の電力線通信信号から、第１の電力線通信情報信号を分離する。そして、第２の電力線通信処理部２１９において、第１の電力線通信情報信号から取得したカメラ信号を、カメラ信号記録部２７２に記録する。
【００１４】
一方、ＡＣ電力が途絶えている期間は、カメラ部１２０では、内蔵の第１のＤＣ電源部１３２が出力する第２のＤＣ電力がカメラ処理部１０９に供給され、撮像部１０１により一定時間毎に間欠的に取得された静止画像の情報に、所望の処理を施して生成したカメラ信号を一時的に記録部１０４に蓄積しておく。そして、ＡＣ電力供給が復旧した後に、記録部１０４に蓄積されていた静止画像から生成されたカメラ信号に、第１の電力線通信処理部１１２において上記と同様の各種プロトコル処理など電力線通信に必要な処理を施して、図４の左下図に示すような第１の電力線通信情報信号を生成する。そして、第１のＡＣ／信号重畳分離部１１５においては、この第１の電力線通信情報信号をＡＣ電力に重畳した、図４の右図に示すような第１の電力線通信信号を、ＡＣ電力線を介して制御記録部２２０に送信する。
【００１５】
制御記録部２２０では、第２のＡＣ／信号重畳分離部２２３において、カメラ部１２０から受信した第１の電力線通信信号から第１の電力線通信情報信号を分離する。そして、第２の電力線通信処理部２１９において、第１の電力線通信情報信号から取得したカメラ信号を、カメラ信号記録部２７２に記録する。
【００１６】
しかしながら上記従来の監視カメラシステムでは、ＡＣ電力が途絶えている期間は、記録部１０４の記録容量による制限と内蔵の第１のＤＣ電源部１３２のＤＣ電力容量の消費を抑えるため、一定時間毎に間欠的に静止画像を撮像して記録部１０４に蓄積している。従って、ＡＣ電力が供給されている期間に比べてその情報量は低下していることになり、ＡＣ電力が途絶えている期間に監視場所にて発生した重要な情報が欠落する可能性がある。また、この期間は制御記録部２２０との通信が一切行われず、従って、制御記録部２２０からカメラ部１２０のパン、チルト、ズームなどの動作を遠隔制御することができない。
【特許文献１】特開２００４−１２０１８７号公報
【発明の開示】
【００１７】
本発明は上記従来の問題点を解決するもので、ＡＣ電力が途絶えている場合にも、ＡＣ電力が供給されている場合と同等の通常動作が可能な、電力線通信技術を用いた監視カメラシステムを提供するものである。
【００１８】
そのために、本発明は、カメラ部と制御記録部とから構成され、カメラ部と制御記録部の間のデータの伝送は電力線通信を用いて行う監視カメラシステムにおいて、カメラ部は、監視場所の映像および音声などの情報を取得して所望の処理を施してカメラ信号を生成するカメラ処理部と、カメラ信号に電力線通信に必要な処理を施して、第１の電力線通信情報信号を生成する第１の電力線通信処理部と、供給されたＡＣ電力を第１のＤＣ電力に変換して、第１のＤＣ電力と内蔵の第１のＤＣ電源部が出力する第２のＤＣ電力とのどちらかを選択して、カメラ処理部と第１の電力線通信処理部に供給する第１の電源部と、ＡＣ電力線に接続されて、ＡＣ電力線にＡＣ電力が供給されている場合には、ＡＣ電力に第１の電力線通信情報信号を重畳した第１の電力線通信信号をＡＣ電力線を介して制御記録部に送信するとともに、ＡＣ電力を分離して第１の電源部に供給し、ＡＣ電力線にＡＣ電力が供給されていない場合には、第１の電力線通信情報信号のみをＡＣ電力線を介して制御記録部に送信する第１のＡＣ／信号重畳分離選択部とを備える。制御記録部は、ＡＣ電力線に接続されて、ＡＣ電力線にＡＣ電力が供給されている場合には、カメラ部からＡＣ電力線を介して受信した第１の電力線通信信号から、第１の電力線通信情報信号とＡＣ電力を分離して出力し、ＡＣ電力線にＡＣ電力が供給されていない場合には、カメラ部からＡＣ電力線を介して受信した第１の電力線通信情報信号のみを出力する第２のＡＣ／信号重畳分離選択部と、第２のＡＣ／信号重畳分離選択部から出力された第１の電力線通信情報信号を入力して、カメラ信号を取得する第２の電力線通信処理部と、第２の電力線通信処理部から出力されたカメラ信号を入力して、監視場所の映像および音声などの情報を記録するカメラ制御記録処理部と、第２のＡＣ／信号重畳分離選択部から出力されたＡＣ電力を第３のＤＣ電力に変換して、第３のＤＣ電力と内蔵の第２のＤＣ電源部が出力する第４のＤＣ電力とのどちらかを選択して、カメラ制御記録処理部と第２の電力線通信処理部に供給する第２の電源部とを備える。このような構成によって、カメラ部と制御記録部の双方が同一のＡＣ電力線に接続されていれば、ＡＣ電力の供給が途絶えた時であっても、内蔵のＤＣ電力に切替えることにより、ＡＣ電力が供給されている時と同等の動作が可能である。すなわち、ＡＣ電力が供給されていない期間であっても、ＡＣ電力線を使ってカメラ部から制御記録部へ情報信号を伝送できる。
【００１９】
さらに本発明は、ＡＣ電力が供給されていない期間であっても、カメラ部と制御記録部の間で双方向に情報信号を伝送できるため、その期間も制御記録部からカメラ部のパン、チルト、ズームなどの動作を遠隔制御することができ、監視場所にて発生した重要な情報が欠落せずに動画として記録できるなど、ＡＣ電力が供給されている期間と同等な動作が可能な監視カメラシステムを提供することができる。
【発明を実施するための最良の形態】
【００２０】
以下、本発明の実施の形態について、図１、図２および図４を用いて説明する。図４は、従来の電力線通信においてＡＣ電力に電力線通信情報信号を重畳する様子を説明する図であるとともに、本発明の実施の形態の電力線通信においてＡＣ電力に電力線通信情報信号を重畳する様子を説明する図でもある。すなわち、ＡＣ電力に電力線通信情報信号が重畳された様子は、従来の電力線通信と本発明の実施の形態とで変わらない。
【００２１】
（実施の形態１）
図１は、本発明の実施の形態１の監視カメラシステムの概略構成を示す図であり、従来の監視カメラシステムの図３と同様の構成は同一の番号を付与し説明を省略する。図１において、第１のＡＣ／信号重畳分離選択部１１４は、カメラ部１００がＡＣ電力線に接続されてＡＣ電力線にＡＣ電力が供給されている場合には、ＡＣ電力に第１の電力線通信情報信号を重畳した第１の電力線通信信号をＡＣ電力線を介して制御記録部２００に送信するとともに、ＡＣ電力を分離して第１の電源部１１３に供給し、ＡＣ電力線にＡＣ電力が供給されていない場合には、第１の電力線通信情報信号のみをＡＣ電力線を介して制御記録部２００に送信する。第２のＡＣ／信号重畳分離選択部２２２は、制御記録部２００がＡＣ電力線に接続されてＡＣ電力線にＡＣ電力が供給されている場合には、カメラ部１００からＡＣ電力線を介して受信した第１の電力線通信信号から、第１の電力線通信情報信号とＡＣ電力を分離して出力し、ＡＣ電力線にＡＣ電力が供給されていない場合には、カメラ部１００からＡＣ電力線を介して受信した第１の電力線通信情報信号のみを出力する。第２の電源部２０４は、第２のＡＣ／信号重畳分離選択部２２２から出力されたＡＣ電力を第３のＤＣ電力に変換して、この第３のＤＣ電力と内蔵の第２のＤＣ電源部２０２が出力する第４のＤＣ電力とのどちらかを選択して、カメラ制御記録処理部２１７と第２の電力線通信処理部２１９に供給する。また、第２の電源部２０４は、第１の電源部１１３と同様に、供給されたＡＣ電力を第３のＤＣ電力に変換するＡＣ／ＤＣ変換部２０１、第４のＤＣ電力を出力する内蔵の第２のＤＣ電源部２０２、第３のＤＣ電力と第４のＤＣ電力とのどちらかを選択して、カメラ制御記録処理部２１７および第２の電力線通信処理部２１９に供給する電源選択部２０３から構成される。
【００２２】
以下、本発明の実施の形態１の監視カメラシステムについて、図１および図４を用いてさらに詳しく説明する。
【００２３】
本発明の実施の形態１の監視カメラシステムでは、ＡＣ電力が供給されている期間は、従来の監視カメラシステムと同様の動作を行う。カメラ部１００では、供給されたＡＣ電力からＡＣ／ＤＣ変換部１３１において変換された第１のＤＣ電力が、カメラ処理部１０９および第１の電力線通信処理部１１２に供給される。第１の電力線通信処理部１１２では、撮像部１０１およびマイク１０２により取得された動画像および音声などの情報に所望の処理を施して生成したカメラ信号に、ＯＳＩ参照モデルで定義された各階層でのプロトコル処理や電力線通信プロトコル処理など、電力線通信に必要な処理を施して、図４の左下図に示すような第１の電力線通信情報信号を生成する。第１のＡＣ／信号重畳分離選択部１１４では、この第１の電力線通信情報信号をＡＣ電力に重畳した図４の右図に示すような第１の電力線通信信号を、ＡＣ電力線を介して制御記録部２００に送信する。制御記録部２００では、供給されたＡＣ電力から、ＡＣ／ＤＣ変換部２０１において変換された第３のＤＣ電力が、カメラ制御記録処理部２１７および第２の電力線通信処理部２１９に供給される。そして、第２のＡＣ／信号重畳分離選択部２２２において、カメラ部１００から受信した第１の電力線通信信号から第１の電力線通信情報信号を分離して、第２の電力線通信処理部２１９において第１の電力線通信情報信号から取得したカメラ信号を、カメラ信号記録部２７２に記録する。
【００２４】
一方、ＡＣ電力が途絶えている期間は、カメラ部１００では内蔵の第１のＤＣ電源部１３２の出力する第２のＤＣ電力が、カメラ処理部１０９および第１の電力線通信処理部１１２に供給される。カメラ処理部１０９では、ＡＣ電力が供給されている期間と同様に、撮像部１０１およびマイク１０２により取得された動画像および音声などの情報に所望の処理を施して生成したカメラ信号に、第１の電力線通信処理部１１２において同様の各種プロトコル処理など電力線通信に必要な処理を施して、図４の左下図に示すような第１の電力線通信情報信号を生成する。そして、ＡＣ電力線にはＡＣ電力は供給されていないので、第１のＡＣ／信号重畳分離選択部１１４において、第１の電力線通信情報信号をそのままＡＣ電力線を介して制御記録部２００に送信する。
【００２５】
制御記録部２００では、内蔵の第２のＤＣ電源部２０２の出力する第４のＤＣ電力が、カメラ制御記録処理部２１７および第２の電力線通信処理部２１９に供給される。第２のＡＣ／信号重畳分離選択部２２２においては、カメラ部１００から受信した第１の電力線通信情報信号を出力して、第２の電力線通信処理部２１９において第１の電力線通信情報信号から取得したカメラ信号を、カメラ信号記録部２７２に記録する。
【００２６】
なお、ここで、信号処理部１０３において所望の処理を施して生成したカメラ信号は、直接第１の電力線通信処理部１１２に出力してもよいし、一旦記録部１０４に記録した後に所望のタイミングで読み出して第１の電力線通信処理部１１２に出力するようにしてもよい。
【００２７】
また、ここで、カメラ部１００と制御記録部２００とに対する、ＡＣ電力が供給されているか否かの判断は、これらの機器の操作者等の人が判断したり、もしくは本発明の監視カメラシステムの外部に備えられた図示しないＡＣ電力監視部やその他の機器等が判断して、カメラ部１００や制御記録部２００に入力したり、あるいは通知する。
【００２８】
以上のように本実施の形態によれば、カメラ部１００と制御記録部２００の双方が同一のＡＣ電力線に接続されていれば、ＡＣ電力の供給が途絶えた時であっても、それぞれが内蔵するＤＣ電力に切替えることにより、ＡＣ電力線を使ってカメラ部１００から制御記録部２００へ情報信号を伝送できる。そのため、ＡＣ電力が供給されている時と同等の動作が可能であり、その期間に監視場所にて発生した重要な情報が欠落せずに動画として記録できる監視カメラシステムを実現することができる。
【００２９】
（実施の形態２）
図１は、本発明の実施の形態２の監視カメラシステムの概略構成をも示す図であり、基本的な動作は本発明の実施の形態１の監視カメラシステムと同様である。
【００３０】
本実施の形態においては、カメラ制御記録処理部２１７では、例えばパン、チルト、ズームなど、カメラ部１００の動作を制御するカメラ制御信号を生成し、第２の電力線通信処理部２１９は、これらのカメラ制御信号に電力線通信に必要な処理を施して第２の電力線通信情報信号を生成する。第２のＡＣ／信号重畳分離選択部２２２は、ＡＣ電力線にＡＣ電力が供給されている場合には、ＡＣ電力に第２の電力線通信情報信号を重畳した第２の電力線通信信号を、ＡＣ電力線を介してカメラ部１００に送信するとともに、ＡＣ電力を分離して第２の電源部２０４に供給する。また、ＡＣ電力線にＡＣ電力が供給されていない場合には、第２の電力線通信情報信号のみをＡＣ電力線を介してカメラ部１００に送信する。第１のＡＣ／信号重畳分離選択部１１４は、ＡＣ電力線にＡＣ電力が供給されている場合には、制御記録部２００からＡＣ電力線を介して受信した第２の電力線通信信号から、第２の電力線通信情報信号とＡＣ電力を分離して出力する。また、ＡＣ電力線にＡＣ電力が供給されていない場合には、制御記録部２００からＡＣ電力線を介して受信した第２の電力線通信情報信号のみを出力する。第１の電力線通信処理部１１２は、第１のＡＣ／信号重畳分離選択部１１４から出力された第２の電力線通信情報信号を入力してカメラ制御信号を取得し、カメラ処理部１０９は、第１の電力線通信処理部１１２から出力されたカメラ制御信号を入力してカメラ部１００の動作を制御する。
【００３１】
以下、本発明の実施の形態２の監視カメラシステムについて図１および図４を用いてさらに詳しく説明する。
【００３２】
本発明の実施の形態２の監視カメラシステムでは、ＡＣ電力が供給されている期間、ＡＣ電力が途絶えている期間とも、第１の電源部１１３および第２の電源部２０４が供給するＤＣ電力の切替え動作や、カメラ部１００で取得した監視場所の映像および音声などの情報を制御記録部２００に送信して記録する動作は、本発明の実施の形態１の監視カメラシステムと同様である。
【００３３】
さらに、本発明の実施の形態２の監視カメラシステムでは、制御記録部２００からカメラ部１００へ情報を送信することも可能である。すなわち、ＡＣ電力が供給されている期間は、制御記録部２００では、カメラ制御部２７１で生成されたカメラ制御信号に、第２の電力線通信処理部２１９において同様な各種プロトコル処理など電力線通信に必要な処理を施して、図４の左下図に示すような第２の電力線通信情報信号を生成する。第２のＡＣ／信号重畳分離選択部２２２においては、この第２の電力線通信情報信号をＡＣ電力に重畳した、図４の右図に示すような第２の電力線通信信号を、ＡＣ電力線を介してカメラ部１００に送信する。カメラ部１００では、第１のＡＣ／信号重畳分離選択部１１４において、制御記録部２００から受信した第２の電力線通信信号から、第２の電力線通信情報信号を分離する。そして、第１の電力線通信処理部１１２において第２の電力線通信情報信号から取得したカメラ制御信号を、カメラ処理部１０９に入力して、カメラ部１００のパン、チルト、ズームなどの動作を制御する。
【００３４】
一方、ＡＣ電力が途絶えている期間は、制御記録部２００では、ＡＣ電力が供給されている期間と同様に、カメラ制御部２７１で生成されたカメラ制御信号に、第２の電力線通信処理部２１９において同様な各種プロトコル処理など電力線通信に必要な処理を施して、図４の左下図に示すような第２の電力線通信情報信号を生成する。そして、ＡＣ電力線にはＡＣ電力は供給されていないので、第２のＡＣ／信号重畳分離選択部２２２において、第２の電力線通信情報信号をそのままＡＣ電力線を介してカメラ部１００に送信する。カメラ部１００では、第１のＡＣ／信号重畳分離選択部１１４において、制御記録部２００から受信した第２の電力線通信情報信号を出力して、第１の電力線通信処理部１１２において第２の電力線通信情報信号から取得したカメラ制御信号を、カメラ処理部１０９に入力して、カメラ部１００のパン、チルト、ズームなどの動作を制御する。
【００３５】
カメラ部１００と制御記録部２００とに対するＡＣ電力が供給されているか否かの判断は、実施の形態１と同様に、これらの機器の操作者等が判断したり、もしくは本発明の監視カメラシステムの外部に備えられた図示しないＡＣ電力監視部やその他の機器等が判断して、カメラ部１００や制御記録部２００に入力したり、あるいは通知する。
【００３６】
以上のように、本実施の形態によれば、カメラ部１００と制御記録部２００の双方が同一のＡＣ電力線に接続されていれば、ＡＣ電力の供給が途絶えた時であっても、それぞれが内蔵するＤＣ電力に切替えることにより、ＡＣ電力線を使って制御記録部２００からカメラ部１００へ情報信号を伝送できる。そのため、ＡＣ電力が供給されている時と同等の動作が可能であり、その期間もカメラ部１００の動作を制御記録部２００から遠隔制御することができる監視カメラシステムを実現することができる。
【００３７】
（実施の形態３）
図２は、本発明の実施の形態３の監視カメラシステムの概略構成を示す図であり、従来の監視カメラシステムの図３および本発明の実施の形態１の図１と同様の構成は、同一の番号を付与し説明を省略する。
【００３８】
図２において、カメラ部１１０の第１の無線通信処理部１１７は、カメラ信号に無線通信に必要な処理を施して第１の無線通信情報信号を生成して、制御記録部２１０に送信する。第１の電源部１１３は、供給されたＡＣ電力を第１のＤＣ電力に変換して、この第１のＤＣ電力と内蔵の第１のＤＣ電源部１３２が出力する第２のＤＣ電力とのどちらかを選択して、カメラ処理部１０９と第１の電力線通信処理部１１２および第１の無線通信処理部１１７に供給する。制御記録部２１０の第２の無線通信処理部２１８は、カメラ部１１０から受信した第１の無線通信情報信号を入力して、カメラ信号を取得する。カメラ制御記録処理部２１７は、第２の電力線通信処理部２１９と第２の無線通信処理部２１８から出力されたカメラ信号のうち少なくとも一方を入力して、監視場所の映像および音声などの情報を記録する。第２の電源部２０４は、第２のＡＣ／信号重畳分離部２２３から出力されたＡＣ電力を第３のＤＣ電力に変換して、この第３のＤＣ電力と内蔵の第２のＤＣ電源部２０２が出力する第４のＤＣ電力とのどちらかを選択して、カメラ制御記録処理部２１７と第２の電力線通信処理部２１９および第２の無線通信処理部２１８に供給する。
【００３９】
以下、本発明の実施の形態３の監視カメラシステムについて、図２および図４を用いてさらに詳しく説明する。図４はまた、実施の形態３の電力線通信においてＡＣ電力に電力線通信情報信号を重畳する様子を説明する図でもある。
【００４０】
本発明の実施の形態３の監視カメラシステムでは、ＡＣ電力が供給されている期間における、第１の電源部１１３および第２の電源部２０４が供給するＤＣ電力の切替え動作、カメラ部１１０で取得した監視場所の映像および音声などの情報を制御記録部２１０に送信して記録する動作は、本発明の実施の形態１の監視カメラシステムと同様である。
【００４１】
本実施の形態において、ＡＣ電力が途絶えている期間は、カメラ部１１０では内蔵の第１のＤＣ電源部１３２が出力する第２のＤＣ電力が、カメラ処理部１０９および第１の無線通信処理部１１７に供給される。カメラ処理部１０９では、ＡＣ電力が供給されている期間と同様に、撮像部１０１およびマイク１０２により取得された動画像および音声などの情報に所望の処理を施して生成したカメラ信号に、第１の無線通信処理部１１７においてＯＳＩ参照モデルで定義された各階層でのプロトコル処理や無線通信プロトコル処理など、無線通信に必要な処理を施して第１の無線通信情報信号を生成し、制御記録部２１０に送信する。
【００４２】
制御記録部２１０では、内蔵の第２のＤＣ電源部２０２が出力する第４のＤＣ電力がカメラ制御記録処理部２１７および第２の無線通信処理部２１８に供給される。第２の無線通信処理部２１８においては、カメラ部１１０側から受信した第１の無線通信情報信号からカメラ信号を取得し、カメラ信号記録部２７２に記録する。
【００４３】
なお、ここで、信号処理部１０３において所望の処理を施して生成したカメラ信号は、直接第１の無線通信処理部１１７に出力してもよいし、一旦記録部１０４に記録した後に所望のタイミングで読み出して第１の無線通信処理部１１７に出力するようにしてもよい。
【００４４】
なお、ここでは、カメラ部１１０と制御記録部２１０の間の伝送を電力線通信で行うか無線通信で行うかの切替えは、ＡＣ電力が供給されているか否かにより行っているが、電力線通信および無線通信の伝送路状態の良し悪しで判断して切替えを行ってもよい。
【００４５】
このような、カメラ部１１０と制御記録部２１０とに対するＡＣ電力が供給されているか否かの判断は、これらの機器の操作者等の人が判断したり、もしくは本発明の監視カメラシステムの外部に備えられた図示しないＡＣ電力監視部やその他の機器等が判断して、カメラ部１１０や制御記録部２１０に入力したり、あるいは通知する。電力線通信および無線通信の伝送路状態の良し悪しも、操作者等が何らかの計測装置等を使って判断したり、もしくは本発明の監視カメラシステムの内部もしくは外部に備えられた図示しない伝送路状態監視部やその他の機器等が判断して、カメラ部１１０や制御記録部２１０に入力したり、あるいは通知する。
【００４６】
以上のように本実施の形態によれば、カメラ部１１０と制御記録部２１０が異なるＡＣ電力線に接続されていて、少なくとも一方のＡＣ電力の供給が途絶えた時であっても、それぞれが内蔵するＤＣ電力に切替えることにより、無線通信を使ってカメラ部１１０から制御記録部２１０へ情報信号を伝送できる。そのため、ＡＣ電力が供給されている時と同等の動作が可能であり、その期間に監視場所にて発生した重要な情報が欠落せずに動画として記録できる監視カメラシステムを実現することができる。
【００４７】
（実施の形態４）
図２は、本発明の実施の形態４の監視カメラシステムの概略構成をも示す図であり、基本的な動作は本発明の実施の形態３の監視カメラシステムと同様である。
【００４８】
本実施の形態において、カメラ制御記録処理部２１７では、例えばパン、チルト、ズームなど、カメラ部１１０の動作を制御するカメラ制御信号を生成し、第２の電力線通信処理部２１９は、これらのカメラ制御信号に電力線通信に必要な処理を施して第２の電力線通信情報信号を生成する。第２の無線通信処理部２１８は、カメラ制御信号に無線通信に必要な処理を施して第２の無線通信情報信号を生成してカメラ部１１０に送信する。第２のＡＣ／信号重畳分離部２２３は、ＡＣ電力線にＡＣ電力が供給されている場合には、ＡＣ電力に第２の電力線通信情報信号を重畳した第２の電力線通信信号を、ＡＣ電力線を介してカメラ部１１０に送信するとともに、ＡＣ電力を分離して第２の電源部２０４に供給する。第１のＡＣ／信号重畳分離部１１５は、ＡＣ電力線にＡＣ電力が供給されている場合には、制御記録部２１０からＡＣ電力線を介して受信した第２の電力線通信信号から、第２の電力線通信情報信号とＡＣ電力を分離して出力する。第１の電力線通信処理部１１２は、第１のＡＣ／信号重畳分離部１１５から出力された第２の電力線通信情報信号を入力してカメラ制御信号を取得する。第１の無線通信処理部１１７は、制御記録部２１０から受信した第２の無線通信情報信号を入力してカメラ制御信号を取得する。カメラ処理部１０９は、第１の電力線通信処理部１１２および第１の無線通信処理部１１７から出力されたカメラ制御信号のうち、少なくとも一方を入力してカメラ部１１０の動作を制御する。
【００４９】
以下、本発明の実施の形態４の監視カメラシステムについて、図２および図４を用いてさらに詳しく説明する。
【００５０】
本発明の実施の形態４の監視カメラシステムでは、ＡＣ電力が供給されている期間、ＡＣ電力が途絶えている期間とも、第１の電源部１１３および第２の電源部２０４が供給するＤＣ電力の切替え動作、カメラ部１１０で取得した監視場所の映像および音声などの情報を制御記録部２１０に送信して記録する動作は、本発明の実施の形態３の監視カメラシステムと同様である。
【００５１】
さらに、本発明の実施の形態４の監視カメラシステムでは、制御記録部２１０からカメラ部１１０へ情報を送信することも可能であり、これが実施の形態４の特徴である。
【００５２】
ＡＣ電力が供給されている期間は、制御記録部２１０では、カメラ制御部２７１で生成されたカメラ制御信号に、第２の電力線通信処理部２１９において各種プロトコル処理など、電力線通信に必要な処理を施して、図４の左下図に示すような第２の電力線通信情報信号を生成する。第２のＡＣ／信号重畳分離部２２３においては、この第２の電力線通信情報信号にＡＣ電力に重畳した、図４の右図に示すような第２の電力線通信信号を、ＡＣ電力線を介してカメラ部１１０に送信する。カメラ部１１０では、第１のＡＣ／信号重畳分離部１１５において、制御記録部２１０から受信した第２の電力線通信信号から、第２の電力線通信情報信号を分離する。そして、第１の電力線通信処理部１１２において第２の電力線通信情報信号から取得したカメラ制御信号を、カメラ処理部１０９に入力して、カメラ部１１０のパン、チルト、ズームなどの動作を制御する。
【００５３】
一方、ＡＣ電力が途絶えている期間は、制御記録部２１０ではＡＣ電力が供給されている期間と同様に、カメラ制御部２７１で生成されたカメラ制御信号に、第２の無線通信処理部２１８において各種プロトコル処理など、無線通信に必要な処理を施して第２の無線通信情報信号を生成し、カメラ部１１０に送信する。カメラ部１１０では、第１の無線通信処理部１１７において制御記録部２１０から受信した第２の無線通信情報信号からカメラ制御信号を取得し、カメラ処理部１０９に入力して、カメラ部１１０のパン、チルト、ズームなどの動作を制御する。
【００５４】
なお、ここでは、カメラ部１１０と制御記録部２１０の間の伝送を電力線通信で行うか、無線通信で行うかの切替えは、ＡＣ電力が供給されているか否かにより行っているが、電力線通信および無線通信の伝送路状態の良し悪しで判断して切替えを行ってもよい。
【００５５】
カメラ部１１０と制御記録部２１０とに対するＡＣ電力が供給されているか否かの判断は、実施の形態３と同様に、これらの機器の操作者等の人が判断したり、もしくは本発明の監視カメラシステムの外部に備えられた図示しないＡＣ電力監視部やその他の機器等が判断して、カメラ部１１０や制御記録部２１０に入力したり、あるいは通知する。電力線通信および無線通信の伝送路状態の良し悪しも、操作者等が何らかの計測装置等を使って判断したり、もしくは本発明の監視カメラシステムの内部もしくは外部に備えられた図示しない伝送路状態監視部やその他の機器等が判断して、カメラ部１１０や制御記録部２１０に入力したり、あるいは通知する。
【００５６】
以上のように本実施の形態によれば、カメラ部１１０と制御記録部２１０が異なるＡＣ電力線に接続されていて、少なくとも一方のＡＣ電力の供給が途絶えた時であっても、それぞれが内蔵するＤＣ電力に切替えることにより、無線通信を使って制御記録部２１０からカメラ部１１０へ情報信号を伝送できる。すなわち、ＡＣ電力が供給されていない期間であっても、無線通信を使ってカメラ部１１０から制御記録部２１０へ、またその逆方向に、制御記録部２１０からカメラ部１１０へ情報信号を伝送できる。そのため、ＡＣ電力が供給されている時と同等の動作が可能であり、その期間もカメラ部１１０の動作を遠隔制御することができる監視カメラシステムを実現することができる。
【００５７】
（実施の形態５）
図１および図２は、本発明の実施の形態５の監視カメラシステムの概略構成をも示す図であり、従来の監視カメラシステムの図３、および本発明の実施の形態１、２の図１、および本発明の実施の形態３、４の図２と同様の構成は、同一の番号を付与し説明を省略する。
【００５８】
本実施の形態において、第１の電源部１１３は、ＡＣ電力が供給されている時には、この供給されたＡＣ電力を第１のＤＣ電力に変換して、この第１のＤＣ電力と内蔵の第１のＤＣ電源部１３２が出力する第２のＤＣ電力とのどちらかを、ＡＣ電力が供給されているか否かを検出することによって選択して、カメラ処理部１０９と第１の電力線通信処理部１１２および第１の無線通信処理部１１７に供給する。また、第１の電源部１１３は、供給されたＡＣ電力を第１のＤＣ電力に変換するＡＣ／ＤＣ変換部１３１、第２のＤＣ電力を出力する内蔵の第１のＤＣ電源部１３２、第１のＤＣ電力と第２のＤＣ電力とのどちらかを選択して、カメラ処理部１０９と第１の電力線通信処理部１１２および第１の無線通信処理部１１７に供給する電源選択部１３３から構成される。
【００５９】
第２の電源部２０４は、ＡＣ電力が供給されている時には、第２のＡＣ／信号重畳分離選択部２２２または第２のＡＣ／信号重畳分離部２２３から出力されたＡＣ電力を第３のＤＣ電力に変換して、この第３のＤＣ電力と内蔵の第２のＤＣ電源部２０２が出力する第４のＤＣ電力とのどちらかを、ＡＣ電力が供給されているか否かを検出することによって選択して、カメラ制御記録処理部２１７と第２の電力線通信処理部２１９および第２の無線通信処理部２１８に供給する。また、第２の電源部２０４は、供給されたＡＣ電力を第３のＤＣ電力に変換するＡＣ／ＤＣ変換部２０１、第４のＤＣ電力を出力する内蔵の第２のＤＣ電源部２０２、第３のＤＣ電力と第４のＤＣ電力とのどちらかを選択してカメラ制御記録処理部２１７と第２の電力線通信処理部２１９および第２の無線通信処理部２１８に供給する電源選択部２０３から構成される。
【００６０】
以下、本発明の実施の形態５の監視カメラシステムについて、図１および図２を用いてさらに詳しく説明する。
【００６１】
本発明の実施の形態５の監視カメラシステムでは、各部の動作は本発明の実施の形態１から４の監視カメラシステムの動作と同様である。その一方、ＡＣ電力が供給されているか否かは自身で検出して、ＡＣ電力が供給されている場合は、ＡＣ／ＤＣ変換部１３１が出力する第１のＤＣ電力およびＡＣ／ＤＣ変換部２０１が出力する第３のＤＣ電力を、ＡＣ電力が供給されていない場合は、内蔵の第１のＤＣ電源部１３２が出力する第２のＤＣ電力および内蔵の第２のＤＣ電源部２０２が出力する第４のＤＣ電力を選択して、それぞれ各部に供給する。
【００６２】
以上のように本実施の形態によれば、ＡＣ電力が供給されているか否かを検出して、自動的に内蔵のＤＣ電源での駆動に切替えて監視動作を続けることができる監視カメラシステムを実現することができる。
【００６３】
（実施の形態６）
図１および図２は、本発明の実施の形態６の監視カメラシステムの概略構成をも示す図であり、本発明の実施の形態６の主な構成は本発明の実施の形態５と変わらない。従って、これらについては詳細な説明を省略し、本発明の実施の形態６が本発明の実施の形態５と異なる部分を中心に説明する。
【００６４】
本発明の実施の形態６の、第１のＤＣ電源部１３２および第２のＤＣ電源部２０２は、内部に充電機能を有している。そして、この第１のＤＣ電源部１３２および第２のＤＣ電源部２０２は、供給されたＡＣ電力によって充電される。この点に関して、本発明の実施の形態６は、本発明の実施の形態５と異なっている。
【００６５】
以下、本発明の実施の形態６の監視カメラシステムについて、図１または図２を用いてさらに詳しく説明する。
【００６６】
本発明の実施の形態６の監視カメラシステムでは、各部の主要な動作は本発明の実施の形態１から５の監視カメラシステムの動作と同様である。その一方、ＡＣ電力が供給されている場合は、ＡＣ／ＤＣ変換部１３１および２０１が出力する第１のＤＣ電力および第３のＤＣ電力は各部に供給されると共に、内蔵の第１のＤＣ電源部１３２および第２のＤＣ電源部２０２にも供給されて、これらが有する充電機能によりそれぞれ第１のＤＣ電源部１３２および第２のＤＣ電源部２０２を充電する。
【００６７】
以上のように、本実施の形態によれば、ＡＣ電力が供給されている期間に内蔵のＤＣ電源は充電されて、ＡＣ電力が途絶えた時のＤＣ電源による駆動に備えることができる監視カメラシステムを実現することができる。
【産業上の利用可能性】
【００６８】
本発明にかかる監視カメラシステムは、電源ケーブルを接続するだけで簡単に使用でき、ＡＣ電力が供給されている期間だけでなく、ＡＣ電力の供給が途絶えている期間であっても同等な動作を行うことが可能であるため、監視場所の情報を欠落することなく常時記録に残しておく必要がある監視カメラシステムに有用である。
【図面の簡単な説明】
【００６９】
【図１】本発明の実施の形態１、２、５、６における監視カメラシステムの概略構成を説明する図
【図２】本発明の実施の形態３、４、５、６における監視カメラシステムの概略構成を説明する図
【図３】従来の監視カメラシステムの概略構成を説明する図
【図４】本発明の実施の形態および従来の監視カメラシステムにおいてＡＣ電力に電力線通信情報信号を重畳する様子を説明する図
【符号の説明】
【００７０】
１００，１１０，１２０    カメラ部
１０１    撮像部
１０２    マイク
１０３    信号処理部
１０４    記録部
１０５    信号選択部
１０９    カメラ処理部
１１２    第１の電力線通信処理部
１１３    第１の電源部
１１４    第１のＡＣ／信号重畳分離選択部
１１５    第１のＡＣ／信号重畳分離部
１１６    ＡＣ電源ケーブル
１１７    第１の無線通信処理部
１３１，２０１，２１１    ＡＣ／ＤＣ変換部
１３２    第１のＤＣ電源部
１３３，２０３    電源選択部
２００，２１０，２２０    制御記録部
２０２    第２のＤＣ電源部
２０４，２１４    第２の電源部
２１７    カメラ制御記録処理部
２１８    第２の無線通信処理部
２１９    第２の電力線通信処理部
２２２    第２のＡＣ／信号重畳分離選択部
２２３    第２のＡＣ／信号重畳分離部
２７１    カメラ制御部
２７２    カメラ信号記録部
【手続補正３】
【補正対象書類名】図面
【補正対象項目名】全図
【補正方法】変更
【補正の内容】
【図１】
2007091423.tif 000007
【図２】
2007091423.tif 000008
【図３】
2007091423.tif 000009
【図４】
2007091423.tif 000010
【国際調査報告】
2007091423.tif 000011
2007091423.tif 000012
2007091423.tif 000013
2007091423.tif 000014